【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  下記式（５０）で表される化合物
【化１】
2002501922.tif 000001
式（５０）
およびその幾何異性体、その立体異性体、またはその立体異性体の混合物、およびその薬剤学的に許容可能な塩であって、
Ｒ3が−ＮＨＣＨ（ＣＨ2ＣＨ2ＯＭｅ）（ＣＨ2ＯＭｅ）、Ｒ4aがＭｅ、Ｒ4bがＨ、Ｒ4cがＭｅ、Ｒ4dがＨでありＲ4eがＭｅである式（５０）の化合物、
Ｒ3が２−エチルピペリド−１−イル、Ｒ4aがＭｅ、Ｒ4bがＨ、Ｒ4cがＯＭｅ、Ｒ4dがＨでありＲ4eがＨである式（５０）の化合物、
Ｒ3がシクロブチルアミノ、Ｒ4aがＭｅ、Ｒ4bがＨ、Ｒ4cがＯＭｅ、Ｒ4dがＨでありＲ4eがＨである式（５０）の化合物、
Ｒ3がＮ（Ｍｅ）ＣＨ2ＣＨ＝ＣＨ2、Ｒ4aがＭｅ、Ｒ4bがＨ、Ｒ4cがＯＭｅ、Ｒ4dがＨでありＲ4eがＨである式（５０）の化合物、
Ｒ3がＮ（Ｅｔ）ＣＨ2ＣＨ＝ＣＨ2、Ｒ4aがＭｅ、Ｒ4bがＨ、Ｒ4cがＯＭｅ、Ｒ4dがＨでありＲ4eがＨである式（５０）の化合物、
Ｒ3がＮ（Ｍｅ）ＣＨ2ｃＰｒ、Ｒ4aがＭｅ、Ｒ4bがＨ、Ｒ4cがＯＭｅ、Ｒ4dがＨでありＲ4eがＨである式（５０）の化合物、
Ｒ3がＮ（Ｅｔ）ＣＨ2ｃＰｒ、Ｒ4aがＭｅ、Ｒ4bがＨ、Ｒ4cがＯＭｅ、Ｒ4dがＨでありＲ4eがＨである式（５０）の化合物、
Ｒ3がＮ（Ｐｒ）ＣＨ2ｃＰｒ、Ｒ4aがＭｅ、Ｒ4bがＨ、Ｒ4cがＯＭｅ、Ｒ4dがＨでありＲ4eがＨである式（５０）の化合物、
Ｒ3がＮ（Ｍｅ）Ｐｒ、Ｒ4aがＭｅ、Ｒ4bがＨ、Ｒ4cがＯＭｅ、Ｒ4dがＨでありＲ4eがＨである式（５０）の化合物、
Ｒ3がＮ（Ｍｅ）Ｅｔ、Ｒ4aがＭｅ、Ｒ4bがＨ、Ｒ4cがＯＭｅ、Ｒ4dがＨでありＲ4eがＨである式（５０）の化合物、
Ｒ3がＮ（Ｍｅ）Ｂｕ、Ｒ4aがＭｅ、Ｒ4bがＨ、Ｒ4cがＯＭｅ、Ｒ4dがＨでありＲ4eがＨである式（５０）の化合物、
Ｒ3がＮ（Ｍｅ）プロパルギル、Ｒ4aがＭｅ、Ｒ4bがＨ、Ｒ4cがＯＭｅ、Ｒ4dがＨでありＲ4eがＨである式（５０）の化合物、
Ｒ3がＮ（Ｅｔ）プロパルギル、Ｒ4aがＭｅ、Ｒ4bがＨ、Ｒ4cがＯＭｅ、Ｒ4dがＨでありＲ4eがＨである式（５０）の化合物、
Ｒ3がＮＨＣＨ（ＣＨ3）ＣＨ（ＣＨ3）ＣＨ3、Ｒ4aがＭｅ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）ＣＨ2ＣＨ＝ＣＨ2、Ｒ4aがＭｅ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）Ｍｅ、Ｒ4aがＭｅ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）Ｅｔ、Ｒ4aがＭｅ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）Ｐｒ、Ｒ4aがＭｅ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）ＣＨ2ｃＰｒ、Ｒ4aがＭｅ、Ｒ4bがＨ、Ｒ4cがＯＭｅ、Ｒ4dがＨでありＲ4eがＨである式（５０）の化合物、
Ｒ3がＮＨＣＨ（ＣＨ3）ＣＨ2ＣＨ3、Ｒ4aがＭｅ、Ｒ4bがＨ、Ｒ4cがＯＭｅ、Ｒ4dがＨでありＲ4eがＨである式（５０）の化合物、
Ｒ3がＮＨＣＨ（ｃＰｒ）2、Ｒ4aがＭｅ、Ｒ4bがＨ、Ｒ4cがＯＭｅ、Ｒ4dがＨでありＲ4eがＨである式（５０）の化合物、
Ｒ3が２−エチルピペリド−１−イル、Ｒ4aがＭｅ、Ｒ4bがＨ、Ｒ4cがＯＭｅ、Ｒ4dがＭｅでありＲ4eがＨである式（５０）の化合物、
Ｒ3がシクロブチルアミノ、Ｒ4aがＭｅ、Ｒ4bがＨ、Ｒ4cがＯＭｅ、Ｒ4dがＭｅでありＲ4eがＨである式（５０）の化合物、
Ｒ3がＮ（Ｍｅ）ＣＨ2ＣＨ＝ＣＨ2、Ｒ4aがＭｅ、Ｒ4bがＨ、Ｒ4cがＯＭｅ、Ｒ4dがＭｅでありＲ4eがＨである式（５０）の化合物、
Ｒ3がＮ（Ｅｔ）ＣＨ2ＣＨ＝ＣＨ2、Ｒ4aがＭｅ、Ｒ4bがＨ、Ｒ4cがＯＭｅ、Ｒ4dがＭｅでありＲ4eがＨである式（５０）の化合物、
Ｒ3がＮ（Ｍｅ）ＣＨ2ｃＰｒ、Ｒ4aがＭｅ、Ｒ4bがＨ、Ｒ4cがＯＭｅ、Ｒ4dがＭｅでありＲ4eがＨである式（５０）の化合物、
Ｒ3がＮ（Ｅｔ）ＣＨ2ｃＰｒ、Ｒ4aがＭｅ、Ｒ4bがＨ、Ｒ4cがＯＭｅ、Ｒ4dがＭｅでありＲ4eがＨである式（５０）の化合物、
Ｒ3がＮ（Ｐｒ）ＣＨ2ｃＰｒ、Ｒ4aがＭｅ、Ｒ4bがＨ、Ｒ4cがＯＭｅ、Ｒ4dがＭｅでありＲ4eがＨである式（５０）の化合物、
Ｒ3がＮ（Ｍｅ）Ｐｒ、Ｒ4aがＭｅ、Ｒ4bがＨ、Ｒ4cがＯＭｅ、Ｒ4dがＭｅでありＲ4eがＨである式（５０）の化合物、
Ｒ3がＮ（Ｍｅ）Ｅｔ、Ｒ4aがＭｅ、Ｒ4bがＨ、Ｒ4cがＯＭｅ、Ｒ4dがＭｅでありＲ4eがＨである式（５０）の化合物、
Ｒ3がＮ（Ｍｅ）Ｂｕ、Ｒ4aがＭｅ、Ｒ4bがＨ、Ｒ4cがＯＭｅ、Ｒ4dがＭｅでありＲ4eがＨである式（５０）の化合物、
Ｒ3がＮ（Ｍｅ）プロパルギル、Ｒ4aがＭｅ、Ｒ4bがＨ、Ｒ4cがＯＭｅ、Ｒ4dがＭｅでありＲ4eがＨである式（５０）の化合物、
Ｒ3がＮ（Ｅｔ）プロパルギル、Ｒ4aがＭｅ、Ｒ4bがＨ、Ｒ4cがＯＭｅ、Ｒ4dがＭｅでありＲ4eがＨである式（５０）の化合物、
Ｒ3がＮＨＣＨ（ＣＨ3）ＣＨ（ＣＨ3）ＣＨ3、Ｒ4aがＭｅ、Ｒ4bがＨ、Ｒ4cがＯＭｅ、Ｒ4dがＭｅでありＲ4eがＨである式（５０）の化合物、
Ｒ3がＮ（ＣＨ2ＣＨ2ＯＭｅ）ＣＨ2ＣＨ＝ＣＨ2、Ｒ4aがＭｅ、Ｒ4bがＨ、Ｒ4cがＯＭｅ、Ｒ4dがＭｅでありＲ4eがＨである式（５０）の化合物、
Ｒ3がＮ（ＣＨ2ＣＨ2ＯＭｅ）Ｍｅ、Ｒ4aがＭｅ、Ｒ4bがＨ、Ｒ4cがＯＭｅ、Ｒ4dがＭｅでありＲ4eがＨである式（５０）の化合物、
Ｒ3がＮ（ＣＨ2ＣＨ2ＯＭｅ）Ｅｔ、Ｒ4aがＭｅ、Ｒ4bがＨ、Ｒ4cがＯＭｅ、Ｒ4dがＭｅでありＲ4eがＨである式（５０）の化合物、
Ｒ3がＮ（ＣＨ2ＣＨ2ＯＭｅ）Ｐｒ、Ｒ4aがＭｅ、Ｒ4bがＨ、Ｒ4cがＯＭｅ、Ｒ4dがＭｅでありＲ4eがＨである式（５０）の化合物、
Ｒ3がＮ（ＣＨ2ＣＨ2ＯＭｅ）ＣＨ2ｃＰｒ、Ｒ4aがＭｅ、Ｒ4bがＨ、Ｒ4cがＯＭｅ、Ｒ4dがＭｅでありＲ4eがＨである式（５０）の化合物、
Ｒ3がＮＨＣＨ（ＣＨ3）ＣＨ2ＣＨ3、Ｒ4aがＭｅ、Ｒ4bがＨ、Ｒ4cがＯＭｅ、Ｒ4dがＭｅでありＲ4eがＨである式（５０）の化合物、
Ｒ3がＮＨＣＨ（ｃＰｒ）2、Ｒ4aがＭｅ、Ｒ4bがＨ、Ｒ4cがＯＭｅ、Ｒ4dがＭｅでありＲ4eがＨである式（５０）の化合物、
Ｒ3が−ＮＨＣＨ（Ｅｔ）2、Ｒ4aがＯＭｅ、Ｒ4bがＨ、Ｒ4cがＯＭｅ、Ｒ4dがＨでありＲ4eがＨである式（５０）の化合物、
Ｒ3が２−エチルピペリド−１−イル、Ｒ4aがＯＭｅ、Ｒ4bがＨ、Ｒ4cがＯＭｅ、Ｒ4dがＨでありＲ4eがＨである式（５０）の化合物、
Ｒ3がシクロブチルアミノ、Ｒ4aがＯＭｅ、Ｒ4bがＨ、Ｒ4cがＯＭｅ、Ｒ4dがＨでありＲ4eがＨである式（５０）の化合物、
Ｒ3がＮ（Ｍｅ）ＣＨ2ＣＨ＝ＣＨ2、Ｒ4aがＯＭｅ、Ｒ4bがＨ、Ｒ4cがＯＭｅ、Ｒ4dがＨでありＲ4eがＨである式（５０）の化合物、
Ｒ3がＮ（Ｅｔ）ＣＨ2ＣＨ＝ＣＨ2、Ｒ4aがＯＭｅ、Ｒ4bがＨ、Ｒ4cがＯＭｅ、Ｒ4dがＨでありＲ4eがＨである式（５０）の化合物、
Ｒ3がＮ（Ｍｅ）ＣＨ2ｃＰｒ、Ｒ4aがＯＭｅ、Ｒ4bがＨ、Ｒ4cがＯＭｅ、Ｒ4dがＨでありＲ4eがＨである式（５０）の化合物、
Ｒ3がＮ（Ｅｔ）ＣＨ2ｃＰｒ、Ｒ4aがＯＭｅ、Ｒ4bがＨ、Ｒ4cがＯＭｅ、Ｒ4dがＨでありＲ4eがＨである式（５０）の化合物、
Ｒ3がＮ（Ｐｒ）ＣＨ2ｃＰｒ、Ｒ4aがＯＭｅ、Ｒ4bがＨ、Ｒ4cがＯＭｅ、Ｒ4dがＨでありＲ4eがＨである式（５０）の化合物、
Ｒ3がＮ（Ｍｅ）Ｐｒ、Ｒ4aがＯＭｅ、Ｒ4bがＨ、Ｒ4cがＯＭｅ、Ｒ4dがＨでありＲ4eがＨである式（５０）の化合物、
Ｒ3がＮ（Ｍｅ）Ｅｔ、Ｒ4aがＯＭｅ、Ｒ4bがＨ、Ｒ4cがＯＭｅ、Ｒ4dがＨでありＲ4eがＨである式（５０）の化合物、
Ｒ3がＮ（Ｍｅ）Ｂｕ、Ｒ4aがＯＭｅ、Ｒ4bがＨ、Ｒ4cがＯＭｅ、Ｒ4dがＨでありＲ4eがＨである式（５０）の化合物、
Ｒ3がＮ（Ｍｅ）プロパルギル、Ｒ4aがＯＭｅ、Ｒ4bがＨ、Ｒ4cがＯＭｅ、Ｒ4dがＨでありＲ4eがＨである式（５０）の化合物、
Ｒ3がＮ（Ｅｔ）プロパルギル、Ｒ4aがＯＭｅ、Ｒ4bがＨ、Ｒ4cがＯＭｅ、Ｒ4dがＨでありＲ4eがＨである式（５０）の化合物、
Ｒ3がＮＨＣＨ（ＣＨ3）ＣＨ（ＣＨ3）ＣＨ3、Ｒ4aがＯＭｅ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）ＣＨ2ＣＨ＝ＣＨ2、Ｒ4aがＯＭｅ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）Ｍｅ、Ｒ4aがＯＭｅ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）Ｅｔ、Ｒ4aがＯＭｅ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）Ｐｒ、Ｒ4aがＯＭｅ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）ＣＨ2ｃＰｒ、Ｒ4aがＯＭｅ、Ｒ4bがＨ、Ｒ4cがＯＭｅ、Ｒ4dがＨでありＲ4eがＨである式（５０）の化合物、
Ｒ3がＮＨＣＨ（ＣＨ3）ＣＨ2ＣＨ3、Ｒ4aがＯＭｅ、Ｒ4bがＨ、Ｒ4cがＯＭｅ、Ｒ4dがＨでありＲ4eがＨである式（５０）の化合物、
Ｒ3がＮＨＣＨ（ｃＰｒ）2、Ｒ4aがＯＭｅ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）2、Ｒ4aがＯＭｅ、Ｒ4bがＨ、Ｒ4cがＯＭｅ、Ｒ4dがＨでありＲ4eがＨである式（５０）の化合物、
Ｒ3がＮＨＣＨ（Ｅｔ）2、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（Ｅｔ）2、Ｒ4aがＯＭｅ、Ｒ4bがＨ、Ｒ4cがＯＭｅ、Ｒ4dがＭｅでありＲ4eがＨである式（５０）の化合物、
Ｒ3が２−エチルピペリド−１−イル、Ｒ4aがＯＭｅ、Ｒ4bがＨ、Ｒ4cがＯＭｅ、Ｒ4dがＭｅでありＲ4eがＨである式（５０）の化合物、
Ｒ3がシクロブチルアミノ、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（Ｍｅ）ＣＨ2ＣＨ＝ＣＨ2、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（Ｅｔ）ＣＨ2ＣＨ＝ＣＨ2、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（Ｍｅ）ＣＨ2ｃＰｒ、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（Ｅｔ）ＣＨ2ｃＰｒ、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（Ｐｒ）ＣＨ2ｃＰｒ、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（Ｍｅ）Ｐｒ、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（Ｍｅ）Ｅｔ、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（Ｍｅ）Ｂｕ、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（Ｍｅ）プロパルギル、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（Ｅｔ）プロパルギル、Ｒ4aがＯＭｅ、Ｒ4bがＨ、Ｒ4cがＯＭｅ、Ｒ4dがＭｅでありＲ4eがＨである式（５０）の化合物、
Ｒ3がＮＨＣＨ（ＣＨ3）ＣＨ（ＣＨ3）ＣＨ3、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（ＣＨ2ＣＨ2ＯＭｅ）ＣＨ2ＣＨ＝ＣＨ2、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（ＣＨ2ＣＨ2ＯＭｅ）Ｍｅ、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（ＣＨ2ＣＨ2ＯＭｅ）Ｅｔ、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（ＣＨ2ＣＨ2ＯＭｅ）Ｐｒ、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（ＣＨ2ＣＨ2ＯＭｅ）ＣＨ2ｃＰｒ、Ｒ4aがＯＭｅ、Ｒ4bがＨ、Ｒ4cがＯＭｅ、Ｒ4dがＭｅでありＲ4eがＨである式（５０）の化合物、
Ｒ3がＮＨＣＨ（ＣＨ3）ＣＨ2ＣＨ3、Ｒ4aがＯＭｅ、Ｒ4bがＨ、Ｒ4cがＯＭｅ、Ｒ4dがＭｅでありＲ4eがＨである式（５０）の化合物、
Ｒ3がＮＨＣＨ（ｃＰｒ）2、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（ＣＨ2ＣＨ2ＯＭｅ）2、Ｒ4aがＯＭｅ、Ｒ4bがＨ、Ｒ4cがＯＭｅ、Ｒ4dがＭｅでありＲ4eがＨである式（５０）の化合物、
Ｒ3がＮＨＣＨ（Ｅｔ）2、Ｒ4aがＯＭｅ、Ｒ4bがＨ、Ｒ4cがＯＭｅ、Ｒ4dがＭｅでありＲ4eがＨである式（５０）の化合物、
Ｒ3がＮ（Ｅｔ）2、Ｒ4aがＯＭｅ、Ｒ4bがＨ、Ｒ4cがＯＭｅ、Ｒ4dがＭｅでありＲ4eがＨである式（５０）の化合物、
Ｒ3が２−エチルピペリド−１−イル、Ｒ4aがＭｅ、Ｒ4bがＨ、Ｒ4cがＯＭｅ、Ｒ4dがＨでありＲ4eがＭｅである式（５０）の化合物、
Ｒ3がシクロブチルアミノ、Ｒ4aがＭｅ、Ｒ4bがＨ、Ｒ4cがＯＭｅ、Ｒ4dがＨでありＲ4eがＭｅである式（５０）の化合物、
Ｒ3がＮ（Ｍｅ）ＣＨ2ＣＨ＝ＣＨ2、Ｒ4aがＭｅ、Ｒ4bがＨ、Ｒ4cがＯＭｅ、Ｒ4dがＨでありＲ4eがＭｅである式（５０）の化合物、
Ｒ3がＮ（Ｅｔ）ＣＨ2ＣＨ＝ＣＨ2、Ｒ4aがＭｅ、Ｒ4bがＨ、Ｒ4cがＯＭｅ、Ｒ4dがＨでありＲ4eがＭｅである式（５０）の化合物、
Ｒ3がＮ（Ｍｅ）ＣＨ2ｃＰｒ、Ｒ4aがＭｅ、Ｒ4bがＨ、Ｒ4cがＯＭｅ、Ｒ4dがＨでありＲ4eがＭｅである式（５０）の化合物、
Ｒ3がＮ（Ｅｔ）ＣＨ2ｃＰｒ、Ｒ4aがＭｅ、Ｒ4bがＨ、Ｒ4cがＯＭｅ、Ｒ4dがＨでありＲ4eがＭｅである式（５０）の化合物、
Ｒ3がＮ（Ｐｒ）ＣＨ2ｃＰｒ、Ｒ4aがＭｅ、Ｒ4bがＨ、Ｒ4cがＯＭｅ、Ｒ4dがＨでありＲ4eがＭｅである式（５０）の化合物、
Ｒ3がＮ（Ｍｅ）Ｐｒ、Ｒ4aがＭｅ、Ｒ4bがＨ、Ｒ4cがＯＭｅ、Ｒ4dがＨでありＲ4eがＭｅである式（５０）の化合物、
Ｒ3がＮ（Ｍｅ）Ｅｔ、Ｒ4aがＭｅ、Ｒ4bがＨ、Ｒ4cがＯＭｅ、Ｒ4dがＨでありＲ4eがＭｅである式（５０）の化合物、
Ｒ3がＮ（Ｍｅ）Ｂｕ、Ｒ4aがＭｅ、Ｒ4bがＨ、Ｒ4cがＯＭｅ、Ｒ4dがＨでありＲ4eがＭｅである式（５０）の化合物、
Ｒ3がＮ（Ｍｅ）プロパルギル、Ｒ4aがＭｅ、Ｒ4bがＨ、Ｒ4cがＯＭｅ、Ｒ4dがＨでありＲ4eがＭｅである式（５０）の化合物、
Ｒ3がＮ（Ｅｔ）プロパルギル、Ｒ4aがＭｅ、Ｒ4bがＨ、Ｒ4cがＯＭｅ、Ｒ4dがＨでありＲ4eがＭｅである式（５０）の化合物、
Ｒ3がＮＨＣＨ（ＣＨ3）ＣＨ（ＣＨ3）ＣＨ3、Ｒ4aがＭｅ、Ｒ4bがＨ、Ｒ4cがＯＭｅ、Ｒ4dがＨでありＲ4eがＭｅである式（５０）の化合物、
Ｒ3がＮ（ＣＨ2ＣＨ2ＯＭｅ）ＣＨ2ＣＨ＝ＣＨ2、Ｒ4aがＭｅ、Ｒ4bがＨ、Ｒ4cがＯＭｅ、Ｒ4dがＨでありＲ4eがＭｅである式（５０）の化合物、
Ｒ3がＮ（ＣＨ2ＣＨ2ＯＭｅ）Ｍｅ、Ｒ4aがＭｅ、Ｒ4bがＨ、Ｒ4cがＯＭｅ、Ｒ4dがＨでありＲ4eがＭｅである式（５０）の化合物、
Ｒ3がＮ（ＣＨ2ＣＨ2ＯＭｅ）Ｅｔ、Ｒ4aがＭｅ、Ｒ4bがＨ、Ｒ4cがＯＭｅ、Ｒ4dがＨでありＲ4eがＭｅである式（５０）の化合物、
Ｒ3がＮ（ＣＨ2ＣＨ2ＯＭｅ）Ｐｒ、Ｒ4aがＭｅ、Ｒ4bがＨ、Ｒ4cがＯＭｅ、Ｒ4dがＨでありＲ4eがＭｅである式（５０）の化合物、
Ｒ3がＮ（ＣＨ2ＣＨ2ＯＭｅ）ＣＨ2ｃＰｒ、Ｒ4aがＭｅ、Ｒ4bがＨ、Ｒ4cがＯＭｅ、Ｒ4dがＨでありＲ4eがＭｅである式（５０）の化合物、
Ｒ3がＮＨＣＨ（ＣＨ3）ＣＨ2ＣＨ3、Ｒ4aがＭｅ、Ｒ4bがＨ、Ｒ4cがＯＭｅ、Ｒ4dがＨでありＲ4eがＭｅである式（５０）の化合物、
Ｒ3がＮＨＣＨ（Ｅｔ）2、Ｒ4aがＭｅ、Ｒ4bがＨ、Ｒ4cがＯＭｅ、Ｒ4dがＨでありＲ4eがＭｅである式（５０）の化合物、
Ｒ3がＮＨＣＨ（ｃＰｒ）2、Ｒ4aがＭｅ、Ｒ4bがＨ、Ｒ4cがＯＭｅ、Ｒ4dがＨでありＲ4eがＭｅである式（５０）の化合物、
Ｒ3がＮＨＣＨ（Ｅｔ）2、Ｒ4aがＭｅ、Ｒ4bがＨ、Ｒ4cがＯＭｅ、Ｒ4dがＨでありＲ4eがＯＭｅである式（５０）の化合物、
Ｒ3が２−エチルピペリド−１−イル、Ｒ4aがＭｅ、Ｒ4bがＨ、Ｒ4cがＯＭｅ、Ｒ4dがＨでありＲ4eがＯＭｅである式（５０）の化合物、
Ｒ3がシクロブチルアミノ、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（Ｍｅ）ＣＨ2ＣＨ＝ＣＨ2、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（Ｅｔ）ＣＨ2ＣＨ＝ＣＨ2、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（Ｍｅ）ＣＨ2ｃＰｒ、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（Ｅｔ）ＣＨ2ｃＰｒ、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（Ｐｒ）ＣＨ2ｃＰｒ、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（Ｍｅ）Ｐｒ、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（Ｍｅ）Ｅｔ、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（Ｍｅ）Ｂｕ、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（Ｍｅ）プロパルギル、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（Ｅｔ）プロパルギル、Ｒ4aがＭｅ、Ｒ4bがＨ、Ｒ4cがＯＭｅ、Ｒ4dがＨでありＲ4eがＯＭｅである式（５０）の化合物、
Ｒ3がＮＨＣＨ（ＣＨ3）ＣＨ（ＣＨ3）ＣＨ3、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（ＣＨ2ＣＨ2ＯＭｅ）ＣＨ2ＣＨ＝ＣＨ2、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（ＣＨ2ＣＨ2ＯＭｅ）Ｍｅ、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（ＣＨ2ＣＨ2ＯＭｅ）Ｅｔ、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（ＣＨ2ＣＨ2ＯＭｅ）Ｐｒ、Ｒ4aがＭｅ、Ｒ4bがＨ、Ｒ4cがＯＭｅ、Ｒ4dがＨでありＲ4eがＯＭｅである式（５０）の化合物、
Ｒ3がＮ（ＣＨ2ＣＨ2ＯＭｅ）ＣＨ2ｃＰｒ、Ｒ4aがＭｅ、Ｒ4bがＨ、Ｒ4cがＯＭｅ、Ｒ4dがＨでありＲ4eがＯＭｅである式（５０）の化合物、
Ｒ3がＮＨＣＨ（ＣＨ3）ＣＨ2ＣＨ3、Ｒ4aがＭｅ、Ｒ4bがＨ、Ｒ4cがＯＭｅ、Ｒ4dがＨでありＲ4eがＯＭｅである式（５０）の化合物、
Ｒ3がＮＨＣＨ（ｃＰｒ）2、Ｒ4aがＭｅ、Ｒ4bがＨ、Ｒ4cがＯＭｅ、Ｒ4dがＨでありＲ4eがＯＭｅである式（５０）の化合物、
Ｒ3がＮＨＣＨ（Ｅｔ）2、Ｒ4aがＣｌ、Ｒ4bがＨ、Ｒ4cがＯＭｅ、Ｒ4dがＨでありＲ4eがＯＭｅである式（５０）の化合物、
Ｒ3が２−エチルピペリド−１−イル、Ｒ4aがＣｌ、Ｒ4bがＨ、Ｒ4cがＯＭｅ、Ｒ4dがＨでありＲ4eがＯＭｅである式（５０）の化合物、
Ｒ3がシクロブチルアミノ、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（Ｍｅ）ＣＨ2ＣＨ＝ＣＨ2、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（Ｅｔ）ＣＨ2ＣＨ＝ＣＨ2、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（Ｍｅ）ＣＨ2ｃＰｒ、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（Ｅｔ）ＣＨ2ｃＰｒ、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（Ｐｒ）ＣＨ2ｃＰｒ、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（Ｍｅ）Ｐｒ、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（Ｍｅ）Ｅｔ、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（Ｍｅ）Ｂｕ、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（Ｍｅ）プロパルギル、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（Ｅｔ）プロパルギル、Ｒ4aがＣｌ、Ｒ4bがＨ、Ｒ4cがＯＭｅ、Ｒ4dがＨでありＲ4eがＯＭｅである式（５０）の化合物、
Ｒ3がＮＨＣＨ（ＣＨ3）ＣＨ（ＣＨ3）ＣＨ3、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（ＣＨ2ＣＨ2ＯＭｅ）ＣＨ2ＣＨ＝ＣＨ2、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（ＣＨ2ＣＨ2ＯＭｅ）Ｍｅ、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（ＣＨ2ＣＨ2ＯＭｅ）Ｅｔ、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（ＣＨ2ＣＨ2ＯＭｅ）Ｐｒ、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（ＣＨ2ＣＨ2ＯＭｅ）ＣＨ2ｃＰｒ、Ｒ4aがＣｌ、Ｒ4bがＨ、Ｒ4cがＯＭｅ、Ｒ4dがＨでありＲ4eがＯＭｅである式（５０）の化合物、
Ｒ3がＮＨＣＨ（ＣＨ3）ＣＨ2ＣＨ3、Ｒ4aがＣｌ、Ｒ4bがＨ、Ｒ4cがＯＭｅ、Ｒ4dがＨでありＲ4eがＯＭｅである式（５０）の化合物、
Ｒ3がＮＨＣＨ（ｃＰｒ）2、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（ＣＨ2ＣＨ2ＯＭｅ）2、Ｒ4aがＣｌ、Ｒ4bがＨ、Ｒ4cがＯＭｅ、Ｒ4dがＨでありＲ4eがＯＭｅである式（５０）の化合物、
Ｒ3がＮＨＣＨ（Ｅｔ）2、Ｒ4aがＣｌ、Ｒ4bがＨ、Ｒ4cがＯＭｅ、Ｒ4dがＨでありＲ4eがＯＭｅである式（５０）の化合物、
Ｒ3がＮ（Ｅｔ）2、Ｒ4aがＣｌ、Ｒ4bがＨ、Ｒ4cがＯＭｅ、Ｒ4dがＨでありＲ4eがＯＭｅである式（５０）の化合物、
Ｒ3がＮＨＣＨ（Ｅｔ）2、Ｒ4aがＣｌ、Ｒ4bがＨ、Ｒ4cがＯＭｅ、Ｒ4dがＨでありＲ4eがＨである式（５０）の化合物、
Ｒ3が２−エチルピペリド−１−イル、Ｒ4aがＣｌ、Ｒ4bがＨ、Ｒ4cがＯＭｅ、Ｒ4dがＨでありＲ4eがＨである式（５０）の化合物、
Ｒ3がシクロブチルアミノ、Ｒ4aがＣｌ、Ｒ4bがＨ、Ｒ4cがＯＭｅ、Ｒ4dがＨでありＲ4eがＨである式（５０）の化合物、
Ｒ3がＮ（Ｍｅ）ＣＨ2ＣＨ＝ＣＨ2、Ｒ4aがＣｌ、Ｒ4bがＨ、Ｒ4cがＯＭｅ、Ｒ4dがＨでありＲ4eがＨである式（５０）の化合物、
Ｒ3がＮ（Ｅｔ）ＣＨ2ＣＨ＝ＣＨ2、Ｒ4aがＣｌ、Ｒ4bがＨ、Ｒ4cがＯＭｅ、Ｒ4dがＨでありＲ4eがＨである式（５０）の化合物、
Ｒ3がＮ（Ｍｅ）ＣＨ2ｃＰｒ、Ｒ4aがＣｌ、Ｒ4bがＨ、Ｒ4cがＯＭｅ、Ｒ4dがＨでありＲ4eがＨである式（５０）の化合物、
Ｒ3がＮ（Ｅｔ）ＣＨ2ｃＰｒ、Ｒ4aがＣｌ、Ｒ4bがＨ、Ｒ4cがＯＭｅ、Ｒ4dがＨでありＲ4eがＨである式（５０）の化合物、
Ｒ3がＮ（Ｐｒ）ＣＨ2ｃＰｒ、Ｒ4aがＣｌ、Ｒ4bがＨ、Ｒ4cがＯＭｅ、Ｒ4dがＨでありＲ4eがＨである式（５０）の化合物、
Ｒ3がＮ（Ｍｅ）Ｐｒ、Ｒ4aがＣｌ、Ｒ4bがＨ、Ｒ4cがＯＭｅ、Ｒ4dがＨでありＲ4eがＨである式（５０）の化合物、
Ｒ3がＮ（Ｍｅ）Ｅｔ、Ｒ4aがＣｌ、Ｒ4bがＨ、Ｒ4cがＯＭｅ、Ｒ4dがＨでありＲ4eがＨである式（５０）の化合物、
Ｒ3がＮ（Ｍｅ）Ｂｕ、Ｒ4aがＣｌ、Ｒ4bがＨ、Ｒ4cがＯＭｅ、Ｒ4dがＨでありＲ4eがＨである式（５０）の化合物、
Ｒ3がＮ（Ｍｅ）プロパルギル、Ｒ4aがＣｌ、Ｒ4bがＨ、Ｒ4cがＯＭｅ、Ｒ4dがＨでありＲ4eがＨである式（５０）の化合物、
Ｒ3がＮ（Ｅｔ）プロパルギル、Ｒ4aがＣｌ、Ｒ4bがＨ、Ｒ4cがＯＭｅ、Ｒ4dがＨでありＲ4eがＨである式（５０）の化合物、
Ｒ3がＮＨＣＨ（ＣＨ3）ＣＨ（ＣＨ3）ＣＨ3、Ｒ4aがＣｌ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）ＣＨ2ＣＨ＝ＣＨ2、Ｒ4aがＣｌ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）Ｍｅ、Ｒ4aがＣｌ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）Ｅｔ、Ｒ4aがＣｌ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）Ｐｒ、Ｒ4aがＣｌ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）ＣＨ2ｃＰｒ、Ｒ4aがＣｌ、Ｒ4bがＨ、Ｒ4cがＯＭｅ、Ｒ4dがＨでありＲ4eがＨである式（５０）の化合物、
Ｒ3がＮＨＣＨ（ＣＨ3）ＣＨ2ＣＨ3、Ｒ4aがＣｌ、Ｒ4bがＨ、Ｒ4cがＯＭｅ、Ｒ4dがＨでありＲ4eがＨである式（５０）の化合物、
Ｒ3がＮＨＣＨ（ｃＰｒ）2、Ｒ4aがＣｌ、Ｒ4bがＨ、Ｒ4cがＯＭｅ、Ｒ4dがＨでありＲ4eがＨである式（５０）の化合物、
Ｒ3がＮ（ＣＨ2ＣＨ2ＯＭｅ）2、Ｒ4aがＣｌ、Ｒ4bがＨ、Ｒ4cがＯＭｅ、Ｒ4dがＨでありＲ4eがＨである式（５０）の化合物、
Ｒ3がＮＨＣＨ（Ｅｔ）2、Ｒ4aがＣｌ、Ｒ4bがＨ、Ｒ4cがＯＭｅ、Ｒ4dがＨでありＲ4eがＨである式（５０）の化合物、
Ｒ3がＮＨＣＨ（Ｅｔ）2、Ｒ4aがＣｌ、Ｒ4bがＨ、Ｒ4cがＯＭｅ、Ｒ4dがＦでありＲ4eがＨである式（５０）の化合物、
Ｒ3が２−エチルピペリド−１−イル、Ｒ4aがＣｌ、Ｒ4bがＨ、Ｒ4cがＯＭｅ、Ｒ4dがＦでありＲ4eがＨである式（５０）の化合物、
Ｒ3がシクロブチルアミノ、Ｒ4aがＣｌ、Ｒ4bがＨ、Ｒ4cがＯＭｅ、Ｒ4dがＦでありＲ4eがＨである式（５０）の化合物、
Ｒ3がＮ（Ｍｅ）ＣＨ2ＣＨ＝ＣＨ2、Ｒ4aがＣｌ、Ｒ4bがＨ、Ｒ4cがＯＭｅ、Ｒ4dがＦでありＲ4eがＨである式（５０）の化合物、
Ｒ3がＮ（Ｅｔ）ＣＨ2ＣＨ＝ＣＨ2、Ｒ4aがＣｌ、Ｒ4bがＨ、Ｒ4cがＯＭｅ、Ｒ4dがＦでありＲ4eがＨである式（５０）の化合物、
Ｒ3がＮ（Ｍｅ）ＣＨ2ｃＰｒ、Ｒ4aがＣｌ、Ｒ4bがＨ、Ｒ4cがＯＭｅ、Ｒ4dがＦでありＲ4eがＨである式（５０）の化合物、
Ｒ3がＮ（Ｅｔ）ＣＨ2ｃＰｒ、Ｒ4aがＣｌ、Ｒ4bがＨ、Ｒ4cがＯＭｅ、Ｒ4dがＦでありＲ4eがＨである式（５０）の化合物、
Ｒ3がＮ（Ｐｒ）ＣＨ2ｃＰｒ、Ｒ4aがＣｌ、Ｒ4bがＨ、Ｒ4cがＯＭｅ、Ｒ4dがＦでありＲ4eがＨである式（５０）の化合物、
Ｒ3がＮ（Ｍｅ）Ｐｒ、Ｒ4aがＣｌ、Ｒ4bがＨ、Ｒ4cがＯＭｅ、Ｒ4dがＦでありＲ4eがＨである式（５０）の化合物、
Ｒ3がＮ（Ｍｅ）Ｅｔ、Ｒ4aがＣｌ、Ｒ4bがＨ、Ｒ4cがＯＭｅ、Ｒ4dがＦでありＲ4eがＨである式（５０）の化合物、
Ｒ3がＮ（Ｍｅ）Ｂｕ、Ｒ4aがＣｌ、Ｒ4bがＨ、Ｒ4cがＯＭｅ、Ｒ4dがＦでありＲ4eがＨである式（５０）の化合物、
Ｒ3がＮ（Ｍｅ）プロパルギル、Ｒ4aがＣｌ、Ｒ4bがＨ、Ｒ4cがＯＭｅ、Ｒ4dがＦでありＲ4eがＨである式（５０）の化合物、
Ｒ3がＮＨＣＨ（ＣＨ3）ＣＨ（ＣＨ3）ＣＨ3、Ｒ4aがＣｌ、Ｒ4bがＨ、Ｒ4cがＯＭｅ、Ｒ4dがＦでありＲ4eがＨである式（５０）の化合物、
Ｒ3がＮ（ＣＨ2ＣＨ2ＯＭｅ）ＣＨ2ＣＨ＝ＣＨ2、Ｒ4aがＣｌ、Ｒ4bがＨ、Ｒ4cがＯＭｅ、Ｒ4dがＦでありＲ4eがＨである式（５０）の化合物、
Ｒ3がＮ（ＣＨ2ＣＨ2ＯＭｅ）Ｍｅ、Ｒ4aがＣｌ、Ｒ4bがＨ、Ｒ4cがＯＭｅ、Ｒ4dがＦでありＲ4eがＨである式（５０）の化合物、
Ｒ3がＮ（ＣＨ2ＣＨ2ＯＭｅ）Ｅｔ、Ｒ4aがＣｌ、Ｒ4bがＨ、Ｒ4cがＯＭｅ、Ｒ4dがＦでありＲ4eがＨである式（５０）の化合物、
Ｒ3がＮ（ＣＨ2ＣＨ2ＯＭｅ）Ｐｒ、Ｒ4aがＣｌ、Ｒ4bがＨ、Ｒ4cがＯＭｅ、Ｒ4dがＦでありＲ4eがＨである式（５０）の化合物、
Ｒ3がＮ（ＣＨ2ＣＨ2ＯＭｅ）ＣＨ2ｃＰｒ、Ｒ4aがＣｌ、Ｒ4bがＨ、Ｒ4cがＯＭｅ、Ｒ4dがＦでありＲ4eがＨである式（５０）の化合物、
Ｒ3がＮＨＣＨ（ＣＨ3）ＣＨ2ＣＨ3、Ｒ4aがＣｌ、Ｒ4bがＦ、Ｒ4cがＯＭｅ、Ｒ4dがＨでありＲ4eがＨである式（５０）の化合物、
Ｒ3がＮＨＣＨ（ｃＰｒ）2、Ｒ4aがＣｌ、Ｒ4bがＨ、Ｒ4cがＯＭｅ、Ｒ4dがＦでありＲ4eがＨである式（５０）の化合物、
Ｒ3がＮ（ＣＨ2ＣＨ2ＯＭｅ）2、Ｒ4aがＣｌ、Ｒ4bがＨ、Ｒ4cがＯＭｅ、Ｒ4dがＦでありＲ4eがＨである式（５０）の化合物、
Ｒ3がＮＨＣＨ（Ｅｔ）2、Ｒ4aがＣｌ、Ｒ4bがＨ、Ｒ4cがＯＭｅ、Ｒ4dがＦでありＲ4eがＨである式（５０）の化合物、
Ｒ3がＮ（Ｅｔ）2、Ｒ4aがＣｌ、Ｒ4bがＨ、Ｒ4cがＯＭｅ、Ｒ4dがＦでありＲ4eがＨである式（５０）の化合物、
Ｒ3がＮＨＣＨ（Ｅｔ）2、Ｒ4aがＣｌ、Ｒ4bがＨ、Ｒ4cがＯＭｅ、Ｒ4dがＯＭｅでありＲ4eがＨである式（５０）の化合物、
Ｒ3が２−エチルピペリド−１−イル、Ｒ4aがＣｌ、Ｒ4bがＨ、Ｒ4cがＯＭｅ、Ｒ4dがＯＭｅでありＲ4eがＨである式（５０）の化合物、
Ｒ3がシクロブチルアミノ、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（Ｍｅ）ＣＨ2ＣＨ＝ＣＨ2、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（Ｅｔ）ＣＨ2ＣＨ＝ＣＨ2、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（Ｍｅ）ＣＨ2ｃＰｒ、Ｒ4aがＣｌ、Ｒ4bがＨ、Ｒ4cがＯＭｅ、Ｒ4dがＦでありＲ4eがＨである式（５０）の化合物、
Ｒ3がＮ（Ｅｔ）ＣＨ2ｃＰｒ、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（Ｐｒ）ＣＨ2ｃＰｒ、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（Ｍｅ）Ｐｒ、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（Ｍｅ）Ｅｔ、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（Ｍｅ）Ｂｕ、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（Ｍｅ）プロパルギル、Ｒ4aがＣｌ、Ｒ4bがＨ、Ｒ4cがＯＭｅ、Ｒ4dがＯＭｅでありＲ4eがＨである式（５０）の化合物、
Ｒ3がＮＨＣＨ（ＣＨ3）ＣＨ（ＣＨ3）ＣＨ3、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）ＣＨ2ＣＨ＝ＣＨ2、Ｒ4aがＣｌ、Ｒ4bがＨ、Ｒ4cがＯＭｅ、Ｒ4dがＦでありＲ4eがＨである式（５０）の化合物、
Ｒ3がＮ（ＣＨ2ＣＨ2ＯＭｅ）Ｍｅ、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）Ｅｔ、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）Ｐｒ、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）ＣＨ2ｃＰｒ、Ｒ4aがＣｌ、Ｒ4bがＨ、Ｒ4cがＯＭｅ、Ｒ4dがＯＭｅでありＲ4eがＨである式（５０）の化合物、
Ｒ3がＮＨＣＨ（ＣＨ3）ＣＨ2ＣＨ3、Ｒ4aがＣｌ、Ｒ4bがＨ、Ｒ4cがＯＭｅ、Ｒ4dがＯＭｅでありＲ4eがＨである式（５０）の化合物、
Ｒ3がＮＨＣＨ（ｃＰｒ）2、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）2、Ｒ4aがＣｌ、Ｒ4bがＨ、Ｒ4cがＯＭｅ、Ｒ4dがＯＭｅでありＲ4eがＨである式（５０）の化合物、
Ｒ3がＮＨＣＨ（Ｅｔ）2、Ｒ4aがＣｌ、Ｒ4bがＨ、Ｒ4cがＯＭｅ、Ｒ4dがＯＭｅでありＲ4eがＨである式（５０）の化合物、
Ｒ3がＮ（Ｅｔ）2、Ｒ4aがＣｌ、Ｒ4bがＨ、Ｒ4cがＯＭｅ、Ｒ4dがＯＭｅでありＲ4eがＨである式（５０）の化合物、
Ｒ3がＮＨＣＨ（Ｅｔ）2、Ｒ4aがＢｒ、Ｒ4bがＨ、Ｒ4cがＯＭｅ、Ｒ4dがＯＭｅでありＲ4eがＨである式（５０）の化合物、
Ｒ3が２−エチルピペリド−１−イル、Ｒ4aがＢｒ、Ｒ4bがＨ、Ｒ4cがＯＭｅ、Ｒ4dがＯＭｅでありＲ4eがＨである式（５０）の化合物、
Ｒ3がシクロブチルアミノ、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（Ｍｅ）ＣＨ2ＣＨ＝ＣＨ2、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（Ｅｔ）ＣＨ2ＣＨ＝ＣＨ2、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（Ｍｅ）ＣＨ2ｃＰｒ、Ｒ4aがＢｒ、Ｒ4bがＨ、Ｒ4cがＯＭｅ、Ｒ4dがＦでありＲ4eがＨである式（５０）の化合物、
Ｒ3がＮ（Ｅｔ）ＣＨ2ｃＰｒ、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（Ｐｒ）ＣＨ2ｃＰｒ、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（Ｍｅ）Ｐｒ、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（Ｍｅ）Ｅｔ、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（Ｍｅ）Ｂｕ、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（Ｍｅ）プロパルギル、Ｒ4aがＢｒ、Ｒ4bがＨ、Ｒ4cがＯＭｅ、Ｒ4dがＯＭｅでありＲ4eがＨである式（５０）の化合物、
Ｒ3がＮＨＣＨ（ＣＨ3）ＣＨ（ＣＨ3）ＣＨ3、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）ＣＨ2ＣＨ＝ＣＨ2、Ｒ4aがＢｒ、Ｒ4bがＨ、Ｒ4cがＯＭｅ、Ｒ4dがＦでありＲ4eがＨである式（５０）の化合物、
Ｒ3がＮ（ＣＨ2ＣＨ2ＯＭｅ）Ｍｅ、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）Ｅｔ、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）Ｐｒ、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）ＣＨ2ｃＰｒ、Ｒ4aがＢｒ、Ｒ4bがＨ、Ｒ4cがＯＭｅ、Ｒ4dがＯＭｅでありＲ4eがＨである式（５０）の化合物、
Ｒ3がＮＨＣＨ（ＣＨ3）ＣＨ2ＣＨ3、Ｒ4aがＢｒ、Ｒ4bがＨ、Ｒ4cがＯＭｅ、Ｒ4dがＯＭｅでありＲ4eがＨである式（５０）の化合物、
Ｒ3がＮＨＣＨ（ｃＰｒ）2、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）2、Ｒ4aがＢｒ、Ｒ4bがＨ、Ｒ4cがＯＭｅ、Ｒ4dがＯＭｅでありＲ4eがＨである式（５０）の化合物、
Ｒ3がＮＨＣＨ（Ｅｔ）2、Ｒ4aがＢｒ、Ｒ4bがＨ、Ｒ4cがＯＭｅ、Ｒ4dがＯＭｅでありＲ4eがＨである式（５０）の化合物、
Ｒ3がＮＨＣＨ（Ｅｔ）2、Ｒ4aがＭｅ、Ｒ4bがＨ、Ｒ4cがＯＭｅ、Ｒ4dがＯＭｅでありＲ4eがＨである式（５０）の化合物、
Ｒ3が２−エチルピペリド−１−イル、Ｒ4aがＭｅ、Ｒ4bがＨ、Ｒ4cがＯＭｅ、Ｒ4dがＯＭｅでありＲ4eがＨである式（５０）の化合物、
Ｒ3がシクロブチルアミノ、Ｒ4aがＭｅ、Ｒ4bがＨ、Ｒ4cがＯＭｅ、Ｒ4dがＯＭｅでありＲ4eがＨである式（５０）の化合物、
Ｒ3がＮ（Ｍｅ）ＣＨ2ＣＨ＝ＣＨ2、Ｒ4aがＭｅ、Ｒ4bがＨ、Ｒ4cがＯＭｅ、Ｒ4dがＯＭｅでありＲ4eがＨである式（５０）の化合物、
Ｒ3がＮ（Ｅｔ）ＣＨ2ＣＨ＝ＣＨ2、Ｒ4aがＭｅ、Ｒ4bがＨ、Ｒ4cがＯＭｅ、Ｒ4dがＯＭｅでありＲ4eがＨである式（５０）の化合物、
Ｒ3がＮ（Ｍｅ）ＣＨ2ｃＰｒ、Ｒ4aがＭｅ、Ｒ4bがＨ、Ｒ4cがＯＭｅ、Ｒ4dがＦでありＲ4eがＨである式（５０）の化合物、
Ｒ3がＮ（Ｅｔ）ＣＨ2ｃＰｒ、Ｒ4aがＭｅ、Ｒ4bがＨ、Ｒ4cがＯＭｅ、Ｒ4dがＯＭｅでありＲ4eがＨである式（５０）の化合物、
Ｒ3がＮ（Ｐｒ）ＣＨ2ｃＰｒ、Ｒ4aがＭｅ、Ｒ4bがＨ、Ｒ4cがＯＭｅ、Ｒ4dがＯＭｅでありＲ4eがＨである式（５０）の化合物、
Ｒ3がＮ（Ｍｅ）Ｐｒ、Ｒ4aがＭｅ、Ｒ4bがＨ、Ｒ4cがＯＭｅ、Ｒ4dがＯＭｅでありＲ4eがＨである式（５０）の化合物、
Ｒ3がＮ（Ｍｅ）Ｅｔ、Ｒ4aがＭｅ、Ｒ4bがＨ、Ｒ4cがＯＭｅ、Ｒ4dがＯＭｅでありＲ4eがＨである式（５０）の化合物、
Ｒ3がＮ（Ｍｅ）Ｂｕ、Ｒ4aがＭｅ、Ｒ4bがＨ、Ｒ4cがＯＭｅ、Ｒ4dがＯＭｅでありＲ4eがＨである式（５０）の化合物、
Ｒ3がＮ（Ｍｅ）プロパルギル、Ｒ4aがＭｅ、Ｒ4bがＨ、Ｒ4cがＯＭｅ、Ｒ4dがＯＭｅでありＲ4eがＨである式（５０）の化合物、
Ｒ3がＮＨＣＨ（ＣＨ3）ＣＨ（ＣＨ3）ＣＨ3、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）ＣＨ2ＣＨ＝ＣＨ2、Ｒ4aがＭｅ、Ｒ4bがＨ、Ｒ4cがＯＭｅ、Ｒ4dがＦでありＲ4eがＨである式（５０）の化合物、
Ｒ3がＮ（ＣＨ2ＣＨ2ＯＭｅ）Ｍｅ、Ｒ4aがＭｅ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）Ｅｔ、Ｒ4aがＭｅ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）Ｐｒ、Ｒ4aがＢｒ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）ＣＨ2ｃＰｒ、Ｒ4aがＭｅ、Ｒ4bがＨ、Ｒ4cがＯＭｅ、Ｒ4dがＯＭｅでありＲ4eがＨである式（５０）の化合物、
Ｒ3がＮＨＣＨ（ＣＨ3）ＣＨ2ＣＨ3、Ｒ4aがＭｅ、Ｒ4bがＨ、Ｒ4cがＯＭｅ、Ｒ4dがＯＭｅでありＲ4eがＨである式（５０）の化合物、
Ｒ3がＮＨＣＨ（ｃＰｒ）2、Ｒ4aがＭｅ、Ｒ4bがＨ、Ｒ4cがＯＭｅ、Ｒ4dがＯＭｅでありＲ4eがＨである式（５０）の化合物、
Ｒ3がＮ（ＣＨ2ＣＨ2ＯＭｅ）2、Ｒ4aがＭｅ、Ｒ4bがＨ、Ｒ4cがＯＭｅ、Ｒ4dがＯＭｅでありＲ4eがＨである式（５０）の化合物、
Ｒ3がＮＨＣＨ（Ｅｔ）2、Ｒ4aがＭｅ、Ｒ4bがＨ、Ｒ4cがＯＭｅ、Ｒ4dがＯＭｅでありＲ4eがＨである式（５０）の化合物、および
Ｒ3がＮ（Ｅｔ）2、Ｒ4aがＭｅ、Ｒ4bがＨ、Ｒ4cがＯＭｅ、Ｒ4dがＯＭｅでありＲ4eがＨである式（５０）の化合物
からなる群から選択されることを特徴とする化合物およびその幾何異性体、その立体異性体、またはその立体異性体の混合物、およびその薬剤学的に許容可能な塩。
【請求項２】  下記式（６０）で表される化合物
【化２】
2002501922.tif 000002
式（６０）
およびその幾何異性体、その立体異性体、またはその立体異性体の混合物、およびその薬剤学的に許容可能な塩であって、
Ｒ3がＮＨＣＨ（Ｅｔ）2であり、Ａｒが６−ジメチルアミノ−４−メチルピリド−３−イルである式（６０）の化合物、
Ｒ3が２−エチルピペリド−１−イルであり、Ａｒが６−ジメチルアミノ−４−メチルピリド−３−イルである式（６０）の化合物、
Ｒ3がシクロブチルアミノであり、Ａｒが６−ジメチルアミノ−４−メチルピリド−３−イルである式（６０）の化合物、
Ｒ3がＮ（Ｍｅ）ＣＨ2ＣＨ＝ＣＨ2であり、Ａｒが６−ジメチルアミノ−４−メチルピリド−３−イルである式（６０）の化合物、
Ｒ3がＮ（Ｅｔ）ＣＨ2ｃＰｒであり、Ａｒが６−ジメチルアミノ−４−メチルピリド−３−イルである式（６０）の化合物、
Ｒ3がＮ（Ｐｒ）ＣＨ2ｃＰｒであり、Ａｒが６−ジメチルアミノ−４−メチルピリド−３−イルである式（６０）の化合物、
Ｒ3がＮ（Ｍｅ）Ｐｒであり、Ａｒが６−ジメチルアミノ−４−メチルピリド−３−イルである式（６０）の化合物、
Ｒ3がＮ（Ｍｅ）Ｅｔであり、Ａｒが６−ジメチルアミノ−４−メチルピリド−３−イルである式（６０）の化合物、
Ｒ3がＮ（Ｍｅ）Ｂｕであり、Ａｒが６−ジメチルアミノ−４−メチルピリド−３−イルである式（６０）の化合物、
Ｒ3がＮ（Ｍｅ）プロパルギルであり、Ａｒが６−ジメチルアミノ−４−メチルピリド−３−イルである式（６０）の化合物、
Ｒ3がＮ（Ｅｔ）プロパルギルであり、Ａｒが６−ジメチルアミノ−４−メチルピリド−３−イルである式（６０）の化合物、
Ｒ3がＮＨＣＨ（ＣＨ3）ＣＨ（ＣＨ3）ＣＨ3であり、Ａｒが６−ジメチルアミノ−４−メチルピリド−３−イルである式（６０）の化合物、
Ｒ3がＮ（ＣＨ2ＣＨ2ＯＭｅ）ＣＨ2ＣＨ＝ＣＨ2であり、Ａｒが６−ジメチルアミノ−４−メチルピリド−３−イルである式（６０）の化合物、
Ｒ3がＮ（ＣＨ2ＣＨ2ＯＭｅ）Ｍｅであり、Ａｒが６−ジメチルアミノ−４−メチルピリド−３−イルである式（６０）の化合物、
Ｒ3がＮ（ＣＨ2ＣＨ2ＯＭｅ）Ｅｔであり、Ａｒが６−ジメチルアミノ−４−メチルピリド−３−イルである式（６０）の化合物、
Ｒ3がＮ（ＣＨ2ＣＨ2ＯＭｅ）Ｐｒであり、Ａｒが６−ジメチルアミノ−４−メチルピリド−３−イルである式（６０）の化合物、
Ｒ3がＮ（ＣＨ2ＣＨ2ＯＭｅ）ＣＨ2ｃＰｒであり、Ａｒが６−ジメチルアミノ−４−メチルピリド−３−イルである式（６０）の化合物、
Ｒ3がＮＨＣＨ（ＣＨ3）ＣＨ2ＣＨ3であり、Ａｒが６−ジメチルアミノ−４−メチルピリド−３−イルである式（６０）の化合物、
Ｒ3がＮＨＣＨ（ｃＰｒ）2であり、Ａｒが６−ジメチルアミノ−４−メチルピリド−３−イルである式（６０）の化合物、
Ｒ3がＮ（ＣＨ2ＣＨ2ＯＭｅ）2であり、Ａｒが６−ジメチルアミノ−４−メチルピリド−３−イルである式（６０）の化合物、
Ｒ3がＮＨＣＨ（Ｅｔ）2であり、Ａｒが６−ジメチルアミノ−４−メチルピリド−３−イルである式（６０）の化合物、
Ｒ3がＮ（Ｅｔ）2であり、Ａｒが６−ジメチルアミノ−４−メチルピリド−３−イルである式（６０）の化合物、
Ｒ3が２−エチルピペリド−１−イルであり、Ａｒが６−ジメチルアミノ−４−メチルピリド−３−イルである式（６０）の化合物、
Ｒ3がシクロブチルアミノであり、Ａｒが６−ジメチルアミノ−４−メチルピリド−３−イルである式（６０）の化合物、
Ｒ3がＮ（Ｍｅ）ＣＨ2ＣＨ＝ＣＨ2であり、Ａｒが６−ジメチルアミノ−４−メチルピリド−３−イルである式（６０）の化合物、
Ｒ3がＮ（Ｅｔ）ＣＨ2ｃＰｒであり、Ａｒが６−ジメチルアミノ−４−メチルピリド−３−イルである式（６０）の化合物、
Ｒ3がＮ（Ｐｒ）ＣＨ2ｃＰｒであり、Ａｒが６−ジメチルアミノ−４−メチルピリド−３−イルである式（６０）の化合物、
Ｒ3がＮ（Ｍｅ）Ｐｒであり、Ａｒが６−ジメチルアミノ−４−メチルピリド−３−イルである式（６０）の化合物、
Ｒ3がＮ（Ｍｅ）Ｅｔであり、Ａｒが６−ジメチルアミノ−４−メチルピリド−３−イルである式（６０）の化合物、
Ｒ3がＮ（Ｍｅ）Ｂｕであり、Ａｒが６−ジメチルアミノ−４−メチルピリド−３−イルである式（６０）の化合物、
Ｒ3がＮ（Ｍｅ）プロパルギルであり、Ａｒが６−ジメチルアミノ−４−メチルピリド−３−イルである式（６０）の化合物、
Ｒ3がＮＨＣＨ（ＣＨ3）ＣＨ（ＣＨ3）ＣＨ3であり、Ａｒが６−ジメチルアミノ−４−メチルピリド−３−イルである式（６０）の化合物、
Ｒ3がＮ（ＣＨ2ＣＨ2ＯＭｅ）ＣＨ2ＣＨ＝ＣＨ2であり、Ａｒが６−ジメチルアミノ−４−メチルピリド−３−イルである式（６０）の化合物、
Ｒ3がＮ（ＣＨ2ＣＨ2ＯＭｅ）Ｍｅであり、Ａｒが６−ジメチルアミノ−４−メチルピリド−３−イルである式（６０）の化合物、
Ｒ3がＮ（ＣＨ2ＣＨ2ＯＭｅ）Ｅｔであり、Ａｒが６−ジメチルアミノ−４−メチルピリド−３−イルである式（６０）の化合物、
Ｒ3がＮ（ＣＨ2ＣＨ2ＯＭｅ）Ｐｒであり、Ａｒが６−ジメチルアミノ−４−メチルピリド−３−イルである式（６０）の化合物、
Ｒ3がＮ（ＣＨ2ＣＨ2ＯＭｅ）ＣＨ2ｃＰｒであり、Ａｒが６−ジメチルアミノ−４−メチルピリド−３−イルである式（６０）の化合物、
Ｒ3がＮＨＣＨ（ＣＨ3）ＣＨ2ＣＨ3であり、Ａｒが６−ジメチルアミノ−４−メチルピリド−３−イルである式（６０）の化合物、
Ｒ3がＮＨＣＨ（ｃＰｒ）2であり、Ａｒが６−ジメチルアミノ−４−メチルピリド−３−イルである式（６０）の化合物、
Ｒ3がＮ（ＣＨ2ＣＨ2ＯＭｅ）2であり、Ａｒが６−ジメチルアミノ−４−メチルピリド−３−イルである式（６０）の化合物、
Ｒ3がＮＨＣＨ（Ｅｔ）2であり、Ａｒが６−ジメチルアミノ−４−メチルピリド−３−イルである式（６０）の化合物、
Ｒ3がＮ（Ｅｔ）2であり、Ａｒが６−ジメチルアミノ−４−メチルピリド−３−イルである式（６０）の化合物、
Ｒ3が２−エチルピペリド−１−イルであり、Ａｒが６−メトキシ−４−メチルピリド−３−イルである式（６０）の化合物、
Ｒ3がシクロブチルアミノであり、Ａｒが６−メトキシ−４−メチルピリド−３−イルである式（６０）の化合物、
Ｒ3がＮ（Ｍｅ）ＣＨ2ＣＨ＝ＣＨ2であり、Ａｒが６−メトキシ−４−メチルピリド−３−イルである式（６０）の化合物、
Ｒ3がＮ（Ｅｔ）ＣＨ2ｃＰｒであり、Ａｒが６−メトキシ−４−メチルピリド−３−イルである式（６０）の化合物、
Ｒ3がＮ（Ｐｒ）ＣＨ2ｃＰｒであり、Ａｒが６−メトキシ−４−メチルピリド−３−イルである式（６０）の化合物、
Ｒ3がＮ（Ｍｅ）Ｐｒであり、Ａｒが６−メトキシ−４−メチルピリド−３−イルである式（６０）の化合物、
Ｒ3がＮ（Ｍｅ）Ｅｔであり、Ａｒが６−メトキシ−４−メチルピリド−３−イルである式（６０）の化合物、
Ｒ3がＮ（Ｍｅ）Ｂｕであり、Ａｒが６−メトキシ−４−メチルピリド−３−イルである式（６０）の化合物、
Ｒ3がＮ（Ｍｅ）プロパルギルであり、Ａｒが６−メトキシ−４−メチルピリド−３−イルである式（６０）の化合物、
Ｒ3がＮ（Ｅｔ）プロパルギルであり、Ａｒが６−メトキシ−４−メチルピリド−３−イルである式（６０）の化合物、
Ｒ3がＮＨＣＨ（ＣＨ3）ＣＨ（ＣＨ3）ＣＨ3であり、Ａｒが６−メトキシ−４−メチルピリド−３−イルである式（６０）の化合物、
Ｒ3がＮ（ＣＨ2ＣＨ2ＯＭｅ）ＣＨ2ＣＨ＝ＣＨ2であり、Ａｒが６−メトキシ−４−メチルピリド−３−イルである式（６０）の化合物、
Ｒ3がＮ（ＣＨ2ＣＨ2ＯＭｅ）Ｍｅであり、Ａｒが６−メトキシ−４−メチルピリド−３−イルである式（６０）の化合物、
Ｒ3がＮ（ＣＨ2ＣＨ2ＯＭｅ）Ｅｔであり、Ａｒが６−メトキシ−４−メチルピリド−３−イルである式（６０）の化合物、
Ｒ3がＮ（ＣＨ2ＣＨ2ＯＭｅ）Ｐｒであり、Ａｒが６−メトキシ−４−メチルピリド−３−イルである式（６０）の化合物、
Ｒ3がＮ（ＣＨ2ＣＨ2ＯＭｅ）ＣＨ2ｃＰｒであり、Ａｒが６−メトキシ−４−メチルピリド−３−イルである式（６０）の化合物、
Ｒ3がＮＨＣＨ（ＣＨ3）ＣＨ2ＣＨ3であり、Ａｒが６−メトキシ−４−メチルピリド−３−イルである式（６０）の化合物、
Ｒ3がＮＨＣＨ（ｃＰｒ）2であり、Ａｒが６−メトキシ−４−メチルピリド−３−イルである式（６０）の化合物、
Ｒ3がＮ（ＣＨ2ＣＨ2ＯＭｅ）2であり、Ａｒが６−メトキシ−４−メチルピリド−３−イルである式（６０）の化合物、
Ｒ3がＮＨＣＨ（Ｅｔ）2であり、Ａｒが６−メトキシ−４−メチルピリド−３−イルである式（６０）の化合物、
Ｒ3がＮ（Ｅｔ）2であり、Ａｒが６−メトキシ−４−メチルピリド−３−イルである式（６０）の化合物、
Ｒ3が２−エチルピペリド−１−イルであり、Ａｒが４−メトキシ−６−メチルピリド−３−イルである式（６０）の化合物、
Ｒ3がシクロブチルアミノであり、Ａｒが４−メトキシ−６−メチルピリド−３−イルである式（６０）の化合物、
Ｒ3がＮ（Ｍｅ）ＣＨ2ＣＨ＝ＣＨ2であり、Ａｒが４−メトキシ−６−メチルピリド−３−イルである式（６０）の化合物、
Ｒ3がＮ（Ｅｔ）ＣＨ2ｃＰｒであり、Ａｒが４−メトキシ−６−メチルピリド−３−イルである式（６０）の化合物、
Ｒ3がＮ（Ｐｒ）ＣＨ2ｃＰｒであり、Ａｒが４−メトキシ−６−メチルピリド−３−イルである式（６０）の化合物、
Ｒ3がＮ（Ｍｅ）Ｐｒであり、Ａｒが４−メトキシ−６−メチルピリド−３−イルである式（６０）の化合物、
Ｒ3がＮ（Ｍｅ）Ｅｔであり、Ａｒが４−メトキシ−６−メチルピリド−３−イルである式（６０）の化合物、
Ｒ3がＮ（Ｍｅ）Ｂｕであり、Ａｒが４−メトキシ−６−メチルピリド−３−イルである式（６０）の化合物、
Ｒ3がＮ（Ｍｅ）プロパルギルであり、Ａｒが４−メトキシ−６−メチルピリド−３−イルである式（６０）の化合物、
Ｒ3がＮＨＣＨ（ＣＨ3）ＣＨ（ＣＨ3）ＣＨ3であり、Ａｒが４−メトキシ−６−メチルピリド−３−イルである式（６０）の化合物、
Ｒ3がＮ（ＣＨ2ＣＨ2ＯＭｅ）ＣＨ2ＣＨ＝ＣＨ2であり、Ａｒが４−メトキシ−６−メチルピリド−３−イルである式（６０）の化合物、
Ｒ3がＮ（ＣＨ2ＣＨ2ＯＭｅ）Ｍｅであり、Ａｒが４−メトキシ−６−メチルピリド−３−イルである式（６０）の化合物、
Ｒ3がＮ（ＣＨ2ＣＨ2ＯＭｅ）Ｅｔであり、Ａｒが４−メトキシ−６−メチルピリド−３−イルである式（６０）の化合物、
Ｒ3がＮ（ＣＨ2ＣＨ2ＯＭｅ）Ｐｒであり、Ａｒが４−メトキシ−６−メチルピリド−３−イルである式（６０）の化合物、
Ｒ3がＮ（ＣＨ2ＣＨ2ＯＭｅ）ＣＨ2ｃＰｒであり、Ａｒが４−メトキシ−６−メチルピリド−３−イルである式（６０）の化合物、
Ｒ3がＮＨＣＨ（ＣＨ3）ＣＨ2ＣＨ3であり、Ａｒが４−メトキシ−６−メチルピリド−３−イルである式（６０）の化合物、
Ｒ3がＮＨＣＨ（ｃＰｒ）2であり、Ａｒが４−メトキシ−６−メチルピリド−３−イルである式（６０）の化合物、
Ｒ3がＮ（ＣＨ2ＣＨ2ＯＭｅ）2であり、Ａｒが４−メトキシ−６−メチルピリド−３−イルである式（６０）の化合物、
Ｒ3がＮＨＣＨ（Ｅｔ）2であり、Ａｒが４−メトキシ−６−メチルピリド−３−イルである式（６０）の化合物、
Ｒ3がＮ（Ｅｔ）2であり、Ａｒが４−メトキシ−６−メチルピリド−３−イルである式（６０）の化合物、
Ｒ3が２−エチルピペリド−１−イルであり、Ａｒが４，６−ジメチルピリド−３−イルである式（６０）の化合物、
Ｒ3がシクロブチルアミノであり、Ａｒが４，６−ジメチルピリド−３−イルである式（６０）の化合物、
Ｒ3がＮ（Ｍｅ）ＣＨ2ＣＨ＝ＣＨ2であり、Ａｒが４，６−ジメチルピリド−３−イルである式（６０）の化合物、
Ｒ3がＮ（Ｅｔ）ＣＨ2ｃＰｒであり、Ａｒが４，６−ジメチルピリド−３−イルである式（６０）の化合物、
Ｒ3がＮ（Ｐｒ）ＣＨ2ｃＰｒであり、Ａｒが４，６−ジメチルピリド−３−イルである式（６０）の化合物、
Ｒ3がＮ（Ｍｅ）Ｐｒであり、Ａｒが４，６−ジメチルピリド−３−イルである式（６０）の化合物、
Ｒ3がＮ（Ｍｅ）Ｅｔであり、Ａｒが４，６−ジメチルピリド−３−イルである式（６０）の化合物、
Ｒ3がＮ（Ｍｅ）Ｂｕであり、Ａｒが４，６−ジメチルピリド−３−イルである式（６０）の化合物、
Ｒ3がＮ（Ｍｅ）プロパルギルであり、Ａｒが４，６−ジメチルピリド−３−イルである式（６０）の化合物、
Ｒ3がＮ（Ｅｔ）プロパルギルであり、Ａｒが４，６−ジメチルピリド−３−イルである式（６０）の化合物、
Ｒ3がＮＨＣＨ（ＣＨ3）ＣＨ（ＣＨ3）ＣＨ3であり、Ａｒが４，６−ジメチルピリド−３−イルである式（６０）の化合物、
Ｒ3がＮ（ＣＨ2ＣＨ2ＯＭｅ）ＣＨ2ＣＨ＝ＣＨ2であり、Ａｒが４，６−ジメチルピリド−３−イルである式（６０）の化合物、
Ｒ3がＮ（ＣＨ2ＣＨ2ＯＭｅ）Ｍｅであり、Ａｒが４，６−ジメチルピリド−３−イルである式（６０）の化合物、
Ｒ3がＮ（ＣＨ2ＣＨ2ＯＭｅ）Ｅｔであり、Ａｒが４，６−ジメチルピリド−３−イルである式（６０）の化合物、
Ｒ3がＮ（ＣＨ2ＣＨ2ＯＭｅ）Ｐｒであり、Ａｒが４，６−ジメチルピリド−３−イルである式（６０）の化合物、
Ｒ3がＮ（ＣＨ2ＣＨ2ＯＭｅ）ＣＨ2ｃＰｒであり、Ａｒが４，６−ジメチルピリド−３−イルである式（６０）の化合物、
Ｒ3がＮＨＣＨ（ＣＨ3）ＣＨ2ＣＨ3であり、Ａｒが４，６−ジメチルピリド−３−イルである式（６０）の化合物、
Ｒ3がＮＨＣＨ（ｃＰｒ）2であり、Ａｒが４，６−ジメチルピリド−３−イルである式（６０）の化合物、
Ｒ3がＮ（ＣＨ2ＣＨ2ＯＭｅ）2であり、Ａｒが４，６−ジメチルピリド−３−イルである式（６０）の化合物、
Ｒ3がＮＨＣＨ（Ｅｔ）2であり、Ａｒが４，６−ジメチルピリド−３−イルである式（６０）の化合物、
Ｒ3がＮ（Ｅｔ）2であり、Ａｒが４，６−ジメチルピリド−３−イルである式（６０）の化合物、
Ｒ3が２−エチルピペリド−１−イルであり、Ａｒが２，６−ジメチルピリド−３−イルである式（６０）の化合物、
Ｒ3がシクロブチルアミノであり、Ａｒが２，６−ジメチルピリド−３−イルである式（６０）の化合物、
Ｒ3がＮ（Ｍｅ）ＣＨ2ＣＨ＝ＣＨ2であり、Ａｒが２，６−ジメチルピリド−３−イルである式（６０）の化合物、
Ｒ3がＮ（Ｅｔ）ＣＨ2ｃＰｒであり、Ａｒが２，６−ジメチルピリド−３−イルである式（６０）の化合物、
Ｒ3がＮ（Ｐｒ）ＣＨ2ｃＰｒであり、Ａｒが２，６−ジメチルピリド−３−イルである式（６０）の化合物、
Ｒ3がＮ（Ｍｅ）Ｐｒであり、Ａｒが２，６−ジメチルピリド−３−イルである式（６０）の化合物、
Ｒ3がＮ（Ｍｅ）Ｅｔであり、Ａｒが２，６−ジメチルピリド−３−イルである式（６０）の化合物、
Ｒ3がＮ（Ｍｅ）Ｂｕであり、Ａｒが２，６−ジメチルピリド−３−イルである式（６０）の化合物、
Ｒ3がＮ（Ｍｅ）プロパルギルであり、Ａｒが２，６−ジメチルピリド−３−イルである式（６０）の化合物、
Ｒ3がＮＨＣＨ（ＣＨ3）ＣＨ（ＣＨ3）ＣＨ3であり、Ａｒが２，６−ジメチルピリド−３−イルである式（６０）の化合物、
Ｒ3がＮ（ＣＨ2ＣＨ2ＯＭｅ）ＣＨ2ＣＨ＝ＣＨ2であり、Ａｒが２，６−ジメチルピリド−３−イルである式（６０）の化合物、
Ｒ3がＮ（ＣＨ2ＣＨ2ＯＭｅ）Ｍｅであり、Ａｒが２，６−ジメチルピリド−３−イルである式（６０）の化合物、
Ｒ3がＮ（ＣＨ2ＣＨ2ＯＭｅ）Ｅｔであり、Ａｒが２，６−ジメチルピリド−３−イルである式（６０）の化合物、
Ｒ3がＮ（ＣＨ2ＣＨ2ＯＭｅ）Ｐｒであり、Ａｒが２，６−ジメチルピリド−３−イルである式（６０）の化合物、
Ｒ3がＮ（ＣＨ2ＣＨ2ＯＭｅ）ＣＨ2ｃＰｒであり、Ａｒが２，６−ジメチルピリド−３−イルである式（６０）の化合物、
Ｒ3がＮＨＣＨ（ＣＨ3）ＣＨ2ＣＨ3であり、Ａｒが２，６−ジメチルピリド−３−イルである式（６０）の化合物、
Ｒ3がＮＨＣＨ（ｃＰｒ）2であり、Ａｒが２，６−ジメチルピリド−３−イルである式（６０）の化合物、
からなる群から選択されることを特徴とする化合物およびその幾何異性体、その立体異性体、またはその立体異性体の混合物、およびその薬剤学的に許容可能な塩。
【請求項３】  下記に示す群から選択される化合物およびその異性体、その立体異性体、またはその立体異性体の混合物、およびその薬剤学的に許容可能な塩。
４−（（２−ブチル）アミノ）−２，７−ジメチル−８−（２−メチル−４−メトキシフェニル）−［１，５−ａ］−ピラゾロ−１，３，５−トリアジン
４−（（２−ブチル）アミノ）−２，７−ジメチル−８−（２，５−ジメチル−４−メトキシフェニル）−［１，５−ａ］−ピラゾロ−１，３，５−トリアジン
４−（（３−ペンチル）アミノ）−２，７−ジメチル−８−（２−メチル−４−メトキシフェニル）−［１，５−ａ］−ピラゾロ−１，３，５−トリアジン
４−（Ｎ−シクロプロピルメチル−Ｎ−プロピルアミノ）−２，７−ジメチル−８−（２−メチル−４−メトキシフェニル）−［１，５−ａ］−ピラゾロ−１，３，５−トリアジン
４−（Ｎ−シクロプロピルメチル−Ｎ−プロピルアミノ）−２，７−ジメチル−８−（２，５−ジメチル−４−メトキシフェニル）−［１，５−ａ］−ピラゾロ−１，３，５−トリアジン
４−（Ｎ−アリル−Ｎ−（２−メトキシエチル）アミノ）−２，７−ジメチル−８−（２−メチル−４−メトキシフェニル）−［１，５−ａ］−ピラゾロ−１，３，５−トリアジン
４−（Ｎ−アリル−Ｎ−（２−メトキシエチル）アミノ）−２，７−ジメチル−８−（２，５−ジメチル−４−メトキシフェニル）−［１，５−ａ］−ピラゾロ−１，３，５−トリアジン
４−（Ｎ−エチル−Ｎ−（２−メトキシエチル）アミノ）−２，７−ジメチル−８−（２−メチル−４−メトキシフェニル）−［１，５−ａ］−ピラゾロ−１，３，５−トリアジン
４−（Ｎ−エチル−Ｎ−（２−メトキシエチル）アミノ）−２，７−ジメチル−８−（２，５−ジメチル−４−メトキシフェニル）−［１，５−ａ］−ピラゾロ−１，３，５−トリアジン
【請求項４】  下記式（７０）で表される化合物
【化３】
2002501922.tif 000003
式（７０）
およびその幾何異性体、その立体異性体、またはその立体異性体の混合物、およびその薬剤学的に許容可能な塩であって、
ＲがＣｌ、Ｒ3が−ＮＨＣＨ（ｎ−Ｐｒ）2、Ｒ4aがＭｅ、Ｒ4bがＨ、Ｒ4cがＭｅ、Ｒ4dがＨでありＲ4eがＨである式（７０）の化合物、
ＲがＣｌ、Ｒ3が−ＮＨＣＨ（ＣＨ2ＯＭｅ）2、Ｒ4aがＭｅ、Ｒ4bがＨ、Ｒ4cがＭｅ、Ｒ4dがＨでありＲ4eがＨである式（７０）の化合物、
ＲがＣｌ、Ｒ3が−Ｎ（ＣＨ2ＣＨ2ＯＭｅ）2、Ｒ4aがＭｅ、Ｒ4bがＨ、Ｒ4cがＭｅ、Ｒ4dがＨでありＲ4eがＨである式（７０）の化合物、
ＲがＣｌ、Ｒ3が−Ｎ（ｃＰｒ）（ＣＨ2ＣＨ2ＣＮ）、Ｒ4aがＭｅ、Ｒ4bがＨ、Ｒ4cがＭｅ、Ｒ4dがＨでありＲ4eがＨである式（７０）の化合物、
ＲがＣｌ、Ｒ3が−Ｎ（ＣＨ2ＣＨ2ＯＭｅ）2、Ｒ4aがＣｌ、Ｒ4bがＨ、Ｒ4cがＭｅ、Ｒ4dがＨでありＲ4eがＨである式（７０）の化合物、
ＲがＣｌ、Ｒ3が−ＮＨＣＨ（ＣＨ2ＯＭｅ）2、Ｒ4aがＣｌ、Ｒ4bがＨ、Ｒ4cがＭｅ、Ｒ4dがＨでありＲ4eがＨである式（７０）の化合物、
ＲがＣｌ、Ｒ3が−ＮＨＣＨ（Ｅｔ）2、Ｒ4aがＣｌ、Ｒ4bがＨ、Ｒ4cがＭｅ、Ｒ4dがＨでありＲ4eがＨである式（７０）の化合物、
ＲがＣｌ、Ｒ3が−Ｎ（Ｅｔ）2、Ｒ4aがＭｅ、Ｒ4bがＨ、Ｒ4cがＭｅ、Ｒ4dがＨでありＲ4eがＨである式（７０）の化合物、
ＲがＣｌ、Ｒ3が−Ｎ（ｎ−Ｐｒ）（ＣＨ2ＣＨ2ＣＮ）、Ｒ4aがＭｅ、Ｒ4bがＨ、Ｒ4cがＭｅ、Ｒ4dがＨでありＲ4eがＨである式（７０）の化合物、
ＲがＣｌ、Ｒ3が−Ｎ（ｎ−Ｂｕ）（ＣＨ2ＣＨ2ＣＮ）、Ｒ4aがＭｅ、Ｒ4bがＨ、Ｒ4cがＭｅ、Ｒ4dがＨでありＲ4eがＨである式（７０）の化合物、
ＲがＣｌ、Ｒ3が−ＮＨＣＨ（ｎ−Ｐｒ）（ＣＨ2ＯＭｅ）、Ｒ4aがＭｅ、Ｒ4bがＨ、Ｒ4cがＭｅ、Ｒ4dがＨでありＲ4eがＨである式（７０）の化合物、
ＲがＣｌ、Ｒ3が−ＮＨＣＨ（Ｅｔ）2、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−ＮＨＣＨ（ＣＨ2ＯＭｅ）2、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が（Ｓ）−ＮＨ（ＣＨ2ＣＨ2ＯＭｅ）ＣＨ2ＯＭｅ、Ｒ4aがＭｅ、Ｒ4bがＨ、Ｒ4cがＭｅ、Ｒ4dがＨでありＲ4eがＨである式（７０）の化合物、
ＲがＣｌ、Ｒ3が−ＮＨ（ＣＨ2ＣＨ2ＯＭｅ）ＣＨ2ＯＭｅ、Ｒ4aがＭｅ、Ｒ4bがＨ、Ｒ4cがＭｅ、Ｒ4dがＨでありＲ4eがＨである式（７０）の化合物、
ＲがＣｌ、Ｒ3が−Ｎ（ＣＨ2ＣＨ2ＯＭｅ）2、Ｒ4aがＭｅ、Ｒ4bがＨ、Ｒ4cがＣｌ、Ｒ4dがＨでありＲ4eがＨである式（７０）の化合物、
ＲがＣｌ、Ｒ3が−ＮＨ（Ｅｔ）、Ｒ4aがＭｅ、Ｒ4bがＨ、Ｒ4cがＭｅ、Ｒ4dがＨでありＲ4eがＨである式（７０）の化合物、
ＲがＣｌ、Ｒ3が−ＮＨＣＨ（ｎ−Ｐｒ）2、Ｒ4aがＭｅ、Ｒ4bがＨ、Ｒ4cがＣｌ、Ｒ4dがＨでありＲ4eがＨである式（７０）の化合物、
ＲがＣｌ、Ｒ3が−ＮＨＣＨ（ＣＨ2ＯＭｅ）2、Ｒ4aがＭｅ、Ｒ4bがＨ、Ｒ4cがＣｌ、Ｒ4dがＨでありＲ4eがＨである式（７０）の化合物、
ＲがＣｌ、Ｒ3が（Ｓ）−ＮＨ（ＣＨ2ＣＨ2ＯＭｅ）ＣＨ2ＯＭｅ、Ｒ4aがＭｅ、Ｒ4bがＨ、Ｒ4cがＣｌ、Ｒ4dがＨでありＲ4eがＨである式（７０）の化合物、
ＲがＣｌ、Ｒ3が−ＮＨ（ＣＨ2ＣＨ2ＯＭｅ）ＣＨ2ＯＭｅ、Ｒ4aがＭｅ、Ｒ4bがＨ、Ｒ4cがＣｌ、Ｒ4dがＨでありＲ4eがＨである式（７０）の化合物、
ＲがＣｌ、Ｒ3が−Ｎ（ｎ−Ｐｒ）（ＣＨ2ＣＨ2ＣＮ）、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−Ｎ（Ｅｔ）2、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が（Ｓ）−ＮＨ（ＣＨ2ＣＨ2ＯＭｅ）ＣＨ2ＯＭｅ、Ｒ4aがＣｌ、Ｒ4bがＨ、Ｒ4cがＭｅ、Ｒ4dがＨでありＲ4eがＨである式（７０）の化合物、
ＲがＣｌ、Ｒ3が−ＮＨ（ＣＨ2ＣＨ2ＯＭｅ）ＣＨ2ＯＭｅ、Ｒ4aがＣｌ、Ｒ4bがＨ、Ｒ4cがＭｅ、Ｒ4dがＨでありＲ4eがＨである式（７０）の化合物、
ＲがＣｌ、Ｒ3が−Ｎ（Ｅｔ）2、Ｒ4aがＣｌ、Ｒ4bがＨ、Ｒ4cがＭｅ、Ｒ4dがＨでありＲ4eがＨである式（７０）の化合物、
ＲがＣｌ、Ｒ3が−Ｎ（ｃＰｒ）（ＣＨ2ＣＨ2ＣＮ）、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−Ｎ（ｃＰｒ）（ＣＨ2ＣＨ2ＣＮ）、Ｒ4aがＣｌ、Ｒ4bがＨ、Ｒ4cがＭｅ、Ｒ4dがＨでありＲ4eがＨである式（７０）の化合物、
ＲがＣｌ、Ｒ3が−ＮＨＣＨ（ｎ−Ｐｒ）（ＣＨ2ＯＭｅ）、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−ＮＨＣＨ（ｎ−Ｐｒ）（ＣＨ2ＯＭｅ）、Ｒ4aがＣｌ、Ｒ4bがＨ、Ｒ4cがＭｅ、Ｒ4dがＨでありＲ4eがＨである式（７０）の化合物、
ＲがＣｌ、Ｒ3が−ＮＨＣＨ（Ｅｔ）2、Ｒ4aがＢｒ、Ｒ4bがＨ、Ｒ4cがＯＭｅ、Ｒ4dがＯＭｅでありＲ4eがＨである式（７０）の化合物、
ＲがＣｌ、Ｒ3が−ＮＨＣＨ（Ｅｔ）2、Ｒ4aがＢｒ、Ｒ4bがＨ、Ｒ4cがＯＭｅ、Ｒ4dがＨでありＲ4eがＨである式（７０）の化合物、
ＲがＣｌ、Ｒ3が−Ｎ（ＣＨ2ＣＨ2ＯＭｅ）2、Ｒ4aがＢｒ、Ｒ4bがＨ、Ｒ4cがＯＭｅ、Ｒ4dがＨでありＲ4eがＨである式（７０）の化合物、
ＲがＣｌ、Ｒ3が−ＮＨＣＨ（ＣＨ2ＯＭｅ）2、Ｒ4aがＢｒ、Ｒ4bがＨ、Ｒ4cがＯＭｅ、Ｒ4dがＨでありＲ4eがＨである式（７０）の化合物、
ＲがＣｌ、Ｒ3が−Ｎ（Ｅｔ）2、Ｒ4aがＭｅ、Ｒ4bがＨ、Ｒ4cがＣｌ、Ｒ4dがＨでありＲ4eがＨである式（７０）の化合物、
ＲがＣｌ、Ｒ3が−Ｎ（Ｅｔ）2、Ｒ4aがＣｌ、Ｒ4bがＨ、Ｒ4cがＯＭｅ、Ｒ4dがＯＭｅでありＲ4eがＨである式（７０）の化合物、
ＲがＣｌ、Ｒ3が−ＮＨＣＨ（Ｅｔ）2、Ｒ4aがＣｌ、Ｒ4bがＨ、Ｒ4cがＯＭｅ、Ｒ4dがＯＭｅでありＲ4eがＨである式（７０）の化合物、
ＲがＣｌ、Ｒ3が−Ｎ（ＣＨ2ＣＨ2ＯＭｅ）2、Ｒ4aがＣｌ、Ｒ4bがＨ、Ｒ4cがＣｌ、Ｒ4dがＨでありＲ4eがＨである式（７０）の化合物、
ＲがＣｌ、Ｒ3が−ＮＨＣＨ（ＣＨ2ＯＭｅ）2、Ｒ4aがＣｌ、Ｒ4bがＨ、Ｒ4cがＣｌ、Ｒ4dがＨでありＲ4eがＨである式（７０）の化合物、
ＲがＣｌ、Ｒ3が−Ｎ（Ｐｒ）（ＣＨ2ＣＨ2ＣＮ）、Ｒ4aがＣｌ、Ｒ4bがＨ、Ｒ4cがＣｌ、Ｒ4dがＨでありＲ4eがＨである式（７０）の化合物、
ＲがＣｌ、Ｒ3が−Ｎ（Ｂｕ）（Ｅｔ）、Ｒ4aがＣｌ、Ｒ4bがＨ、Ｒ4cがＣｌ、Ｒ4dがＨでありＲ4eがＨである式（７０）の化合物、
ＲがＣｌ、Ｒ3が−ＮＨＣＨ（Ｅｔ）ＣＨ2ＯＭｅ、Ｒ4aがＣｌ、Ｒ4bがＨ、Ｒ4cがＣｌ、Ｒ4dがＨでありＲ4eがＨである式（７０）の化合物、
ＲがＣｌ、Ｒ3が−ＮＨＣＨ（Ｅｔ）2、Ｒ4aがＣｌ、Ｒ4bがＨ、Ｒ4cがＣｌ、Ｒ4dがＨでありＲ4eがＨである式（７０）の化合物、
ＲがＣｌ、Ｒ3が−ＮＨＣＨ（Ｅｔ）2、Ｒ4aがＭｅ、Ｒ4bがＨ、Ｒ4cがＭｅ、Ｒ4dがＨでありＲ4eがＨである式（７０）の化合物、
ＲがＣｌ、Ｒ3が−ＮＨＣＨ（Ｅｔ）2、Ｒ4aがＣｌ、Ｒ4bがＨ、Ｒ4cがＭｅ、Ｒ4dがＨでありＲ4eがＨである式（７０）の化合物、
ＲがＣｌ、Ｒ3が−ＮＨＣＨ（Ｅｔ）2、Ｒ4aがＭｅ、Ｒ4bがＨ、Ｒ4cがＣｌ、Ｒ4dがＨでありＲ4eがＨである式（７０）の化合物、
ＲがＣｌ、Ｒ3が−ＮＥｔ2、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−Ｎ（Ｐｒ）（ＣＨ2ＣＨ2ＣＮ）、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−ＮＨＣＨ（ｎ−Ｐｒ）2、Ｒ4aがＭｅ、Ｒ4bがＨ、Ｒ4cがＭｅ、Ｒ4dがＨでありＲ4eがＨである式（７０）の化合物、
ＲがＭｅ、Ｒ3が−ＮＨＣＨ（ＣＨ2ＯＭｅ）2、Ｒ4aがＭｅ、Ｒ4bがＨ、Ｒ4cがＭｅ、Ｒ4dがＨでありＲ4eがＨである式（７０）の化合物、
ＲがＭｅ、Ｒ3が−Ｎ（ＣＨ2ＣＨ2ＯＭｅ）2、Ｒ4aがＭｅ、Ｒ4bがＨ、Ｒ4cがＭｅ、Ｒ4dがＨでありＲ4eがＨである式（７０）の化合物、
ＲがＭｅ、Ｒ3が−Ｎ（ｃＰｒ）（ＣＨ2ＣＨ2ＣＮ）、Ｒ4aがＭｅ、Ｒ4bがＨ、Ｒ4cがＭｅ、Ｒ4dがＨでありＲ4eがＨである式（７０）の化合物、
ＲがＭｅ、Ｒ3が−Ｎ（ＣＨ2ＣＨ2ＯＭｅ）2、Ｒ4aがＣｌ、Ｒ4bがＨ、Ｒ4cがＭｅ、Ｒ4dがＨでありＲ4eがＨである式（７０）の化合物、
ＲがＭｅ、Ｒ3が−ＮＨＣＨ（ＣＨ2ＯＭｅ）2、Ｒ4aがＣｌ、Ｒ4bがＨ、Ｒ4cがＭｅ、Ｒ4dがＨでありＲ4eがＨである式（７０）の化合物、
ＲがＭｅ、Ｒ3が−ＮＨＣＨ（Ｅｔ）2、Ｒ4aがＣｌ、Ｒ4bがＨ、Ｒ4cがＭｅ、Ｒ4dがＨでありＲ4eがＨである式（７０）の化合物、
ＲがＭｅ、Ｒ3が−Ｎ（Ｅｔ）2、Ｒ4aがＭｅ、Ｒ4bがＨ、Ｒ4cがＭｅ、Ｒ4dがＨでありＲ4eがＨである式（７０）の化合物、
ＲがＭｅ、Ｒ3が−Ｎ（ｎ−Ｐｒ）（ＣＨ2ＣＨ2ＣＮ）、Ｒ4aがＭｅ、Ｒ4bがＨ、Ｒ4cがＭｅ、Ｒ4dがＨでありＲ4eがＨである式（７０）の化合物、
ＲがＭｅ、Ｒ3が−Ｎ（ｎ−Ｂｕ）（ＣＨ2ＣＨ2ＣＮ）、Ｒ4aがＭｅ、Ｒ4bがＨ、Ｒ4cがＭｅ、Ｒ4dがＨでありＲ4eがＨである式（７０）の化合物、
ＲがＭｅ、Ｒ3が−ＮＨＣＨ（ｎ−Ｐｒ）（ＣＨ2ＯＭｅ）、Ｒ4aがＭｅ、Ｒ4bがＨ、Ｒ4cがＭｅ、Ｒ4dがＨでありＲ4eがＨである式（７０）の化合物、
ＲがＭｅ、Ｒ3が−ＮＨＣＨ（Ｅｔ）2、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−ＮＨＣＨ（ＣＨ2ＯＭｅ）2、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が（Ｓ）−ＮＨ（ＣＨ2ＣＨ2ＯＭｅ）ＣＨ2ＯＭｅ、Ｒ4aがＭｅ、Ｒ4bがＨ、Ｒ4cがＭｅ、Ｒ4dがＨでありＲ4eがＨである式（７０）の化合物、
ＲがＭｅ、Ｒ3が−ＮＨ（ＣＨ2ＣＨ2ＯＭｅ）ＣＨ2ＯＭｅ、Ｒ4aがＭｅ、Ｒ4bがＨ、Ｒ4cがＭｅ、Ｒ4dがＨでありＲ4eがＨである式（７０）の化合物、
ＲがＭｅ、Ｒ3が−Ｎ（ＣＨ2ＣＨ2ＯＭｅ）2、Ｒ4aがＭｅ、Ｒ4bがＨ、Ｒ4cがＣｌ、Ｒ4dがＨでありＲ4eがＨである式（７０）の化合物、
ＲがＭｅ、Ｒ3が−ＮＨ（Ｅｔ）、Ｒ4aがＭｅ、Ｒ4bがＨ、Ｒ4cがＭｅ、Ｒ4dがＨでありＲ4eがＨである式（７０）の化合物、
ＲがＭｅ、Ｒ3が−ＮＨＣＨ（ｎ−Ｐｒ）2、Ｒ4aがＭｅ、Ｒ4bがＨ、Ｒ4cがＣｌ、Ｒ4dがＨでありＲ4eがＨである式（７０）の化合物、
ＲがＭｅ、Ｒ3が−ＮＨＣＨ（ＣＨ2ＯＭｅ）2、Ｒ4aがＭｅ、Ｒ4bがＨ、Ｒ4cがＣｌ、Ｒ4dがＨでありＲ4eがＨである式（７０）の化合物、
ＲがＭｅ、Ｒ3が（Ｓ）−ＮＨ（ＣＨ2ＣＨ2ＯＭｅ）ＣＨ2ＯＭｅ、Ｒ4aがＭｅ、Ｒ4bがＨ、Ｒ4cがＣｌ、Ｒ4dがＨでありＲ4eがＨである式（７０）の化合物、
ＲがＭｅ、Ｒ3が−ＮＨ（ＣＨ2ＣＨ2ＯＭｅ）ＣＨ2ＯＭｅ、Ｒ4aがＭｅ、Ｒ4bがＨ、Ｒ4cがＣｌ、Ｒ4dがＨでありＲ4eがＨである式（７０）の化合物、
ＲがＭｅ、Ｒ3が−Ｎ（ｎ−Ｐｒ）（ＣＨ2ＣＨ2ＣＮ）、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−Ｎ（Ｅｔ）2、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が（Ｓ）−ＮＨ（ＣＨ2ＣＨ2ＯＭｅ）ＣＨ2ＯＭｅ、Ｒ4aがＣｌ、Ｒ4bがＨ、Ｒ4cがＭｅ、Ｒ4dがＨでありＲ4eがＨである式（７０）の化合物、
ＲがＭｅ、Ｒ3が−ＮＨ（ＣＨ2ＣＨ2ＯＭｅ）ＣＨ2ＯＭｅ、Ｒ4aがＣｌ、Ｒ4bがＨ、Ｒ4cがＭｅ、Ｒ4dがＨでありＲ4eがＨである式（７０）の化合物、
ＲがＭｅ、Ｒ3が−Ｎ（Ｅｔ）2、Ｒ4aがＣｌ、Ｒ4bがＨ、Ｒ4cがＭｅ、Ｒ4dがＨでありＲ4eがＨである式（７０）の化合物、
ＲがＭｅ、Ｒ3が−Ｎ（ｃＰｒ）（ＣＨ2ＣＨ2ＣＮ）、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−Ｎ（ｃＰｒ）（ＣＨ2ＣＨ2ＣＮ）、Ｒ4aがＣｌ、Ｒ4bがＨ、Ｒ4cがＭｅ、Ｒ4dがＨでありＲ4eがＨである式（７０）の化合物、
ＲがＭｅ、Ｒ3が−ＮＨＣＨ（ｎ−Ｐｒ）（ＣＨ2ＯＭｅ）、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−ＮＨＣＨ（ｎ−Ｐｒ）（ＣＨ2ＯＭｅ）、Ｒ4aがＣｌ、Ｒ4bがＨ、Ｒ4cがＭｅ、Ｒ4dがＨでありＲ4eがＨである式（７０）の化合物、
ＲがＭｅ、Ｒ3が−ＮＨＣＨ（Ｅｔ）2、Ｒ4aがＢｒ、Ｒ4bがＨ、Ｒ4cがＯＭｅ、Ｒ4dがＯＭｅでありＲ4eがＨである式（７０）の化合物、
ＲがＭｅ、Ｒ3が−ＮＨＣＨ（Ｅｔ）2、Ｒ4aがＢｒ、Ｒ4bがＨ、Ｒ4cがＯＭｅ、Ｒ4dがＨでありＲ4eがＨである式（７０）の化合物、
ＲがＭｅ、Ｒ3が−Ｎ（ＣＨ2ＣＨ2ＯＭｅ）2、Ｒ4aがＢｒ、Ｒ4bがＨ、Ｒ4cがＯＭｅ、Ｒ4dがＨでありＲ4eがＨである式（７０）の化合物、
ＲがＭｅ、Ｒ3が−ＮＨＣＨ（ＣＨ2ＯＭｅ）2、Ｒ4aがＢｒ、Ｒ4bがＨ、Ｒ4cがＯＭｅ、Ｒ4dがＨでありＲ4eがＨである式（７０）の化合物、
ＲがＭｅ、Ｒ3が−Ｎ（Ｅｔ）2、Ｒ4aがＭｅ、Ｒ4bがＨ、Ｒ4cがＣｌ、Ｒ4dがＨでありＲ4eがＨである式（７０）の化合物、
ＲがＭｅ、Ｒ3が−Ｎ（Ｅｔ）2、Ｒ4aがＣｌ、Ｒ4bがＨ、Ｒ4cがＯＭｅ、Ｒ4dがＯＭｅでありＲ4eがＨである式（７０）の化合物、
ＲがＭｅ、Ｒ3が−ＮＨＣＨ（Ｅｔ）2、Ｒ4aがＣｌ、Ｒ4bがＨ、Ｒ4cがＯＭｅ、Ｒ4dがＯＭｅでありＲ4eがＨである式（７０）の化合物、
ＲがＭｅ、Ｒ3が−Ｎ（ＣＨ2ＣＨ2ＯＭｅ）2、Ｒ4aがＣｌ、Ｒ4bがＨ、Ｒ4cがＣｌ、Ｒ4dがＨでありＲ4eがＨである式（７０）の化合物、
ＲがＭｅ、Ｒ3が−ＮＨＣＨ（ＣＨ2ＯＭｅ）2、Ｒ4aがＣｌ、Ｒ4bがＨ、Ｒ4cがＣｌ、Ｒ4dがＨでありＲ4eがＨである式（７０）の化合物、
ＲがＭｅ、Ｒ3が−Ｎ（Ｐｒ）（ＣＨ2ＣＨ2ＣＮ）、Ｒ4aがＣｌ、Ｒ4bがＨ、Ｒ4cがＣｌ、Ｒ4dがＨでありＲ4eがＨである式（７０）の化合物、
ＲがＭｅ、Ｒ3が−Ｎ（Ｂｕ）（Ｅｔ）、Ｒ4aがＣｌ、Ｒ4bがＨ、Ｒ4cがＣｌ、Ｒ4dがＨでありＲ4eがＨである式（７０）の化合物、
ＲがＭｅ、Ｒ3が−ＮＨＣＨ（Ｅｔ）ＣＨ2ＯＭｅ、Ｒ4aがＣｌ、Ｒ4bがＨ、Ｒ4cがＣｌ、Ｒ4dがＨでありＲ4eがＨである式（７０）の化合物、
ＲがＭｅ、Ｒ3が−ＮＨＣＨ（Ｅｔ）2、Ｒ4aがＣｌ、Ｒ4bがＨ、Ｒ4cがＣｌ、Ｒ4dがＨでありＲ4eがＨである式（７０）の化合物、
ＲがＭｅ、Ｒ3が−ＮＨＣＨ（Ｅｔ）2、Ｒ4aがＭｅ、Ｒ4bがＨ、Ｒ4cがＭｅ、Ｒ4dがＨでありＲ4eがＨである式（７０）の化合物、
ＲがＭｅ、Ｒ3が−ＮＨＣＨ（Ｅｔ）2、Ｒ4aがＣｌ、Ｒ4bがＨ、Ｒ4cがＭｅ、Ｒ4dがＨでありＲ4eがＨである式（７０）の化合物、
ＲがＭｅ、Ｒ3が−ＮＨＣＨ（Ｅｔ）2、Ｒ4aがＭｅ、Ｒ4bがＨ、Ｒ4cがＣｌ、Ｒ4dがＨでありＲ4eがＨである式（７０）の化合物、
ＲがＭｅ、Ｒ3が−ＮＥｔ2、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−Ｎ（Ｐｒ）（ＣＨ2ＣＨ2ＣＮ）、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−ＮＨＣＨ（ｎ−Ｐｒ）2、Ｒ4aがＭｅ、Ｒ4bがＨ、Ｒ4cがＭｅ、Ｒ4dがＨでありＲ4eがＨである式（７０）の化合物、
ＲがＦ、Ｒ3が−ＮＨＣＨ（ＣＨ2ＯＭｅ）2、Ｒ4aがＭｅ、Ｒ4bがＨ、Ｒ4cがＭｅ、Ｒ4dがＨでありＲ4eがＨである式（７０）の化合物、
ＲがＦ、Ｒ3が−Ｎ（ＣＨ2ＣＨ2ＯＭｅ）2、Ｒ4aがＭｅ、Ｒ4bがＨ、Ｒ4cがＭｅ、Ｒ4dがＨでありＲ4eがＨである式（７０）の化合物、
ＲがＦ、Ｒ3が−Ｎ（ｃＰｒ）（ＣＨ2ＣＨ2ＣＮ）、Ｒ4aがＭｅ、Ｒ4bがＨ、Ｒ4cがＭｅ、Ｒ4dがＨでありＲ4eがＨである式（７０）の化合物、
ＲがＦ、Ｒ3が−Ｎ（ＣＨ2ＣＨ2ＯＭｅ）2、Ｒ4aがＣｌ、Ｒ4bがＨ、Ｒ4cがＭｅ、Ｒ4dがＨでありＲ4eがＨである式（７０）の化合物、
ＲがＦ、Ｒ3が−ＮＨＣＨ（ＣＨ2ＯＭｅ）2、Ｒ4aがＣｌ、Ｒ4bがＨ、Ｒ4cがＭｅ、Ｒ4dがＨでありＲ4eがＨである式（７０）の化合物、
ＲがＦ、Ｒ3が−ＮＨＣＨ（Ｅｔ）2、Ｒ4aがＣｌ、Ｒ4bがＨ、Ｒ4cがＭｅ、Ｒ4dがＨでありＲ4eがＨである式（７０）の化合物、
ＲがＦ、Ｒ3が−Ｎ（Ｅｔ）2、Ｒ4aがＭｅ、Ｒ4bがＨ、Ｒ4cがＭｅ、Ｒ4dがＨでありＲ4eがＨである式（７０）の化合物、
ＲがＦ、Ｒ3が−Ｎ（ｎ−Ｐｒ）（ＣＨ2ＣＨ2ＣＮ）、Ｒ4aがＭｅ、Ｒ4bがＨ、Ｒ4cがＭｅ、Ｒ4dがＨでありＲ4eがＨである式（７０）の化合物、
ＲがＦ、Ｒ3が−Ｎ（ｎ−Ｂｕ）（ＣＨ2ＣＨ2ＣＮ）、Ｒ4aがＭｅ、Ｒ4bがＨ、Ｒ4cがＭｅ、Ｒ4dがＨでありＲ4eがＨである式（７０）の化合物、
ＲがＦ、Ｒ3が−ＮＨＣＨ（ｎ−Ｐｒ）（ＣＨ2ＯＭｅ）、Ｒ4aがＭｅ、Ｒ4bがＨ、Ｒ4cがＭｅ、Ｒ4dがＨでありＲ4eがＨである式（７０）の化合物、
ＲがＦ、Ｒ3が−ＮＨＣＨ（Ｅｔ）2、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−ＮＨＣＨ（ＣＨ2ＯＭｅ）2、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が（Ｓ）−ＮＨ（ＣＨ2ＣＨ2ＯＭｅ）ＣＨ2ＯＭｅ、Ｒ4aがＭｅ、Ｒ4bがＨ、Ｒ4cがＭｅ、Ｒ4dがＨでありＲ4eがＨである式（７０）の化合物、
ＲがＦ、Ｒ3が−ＮＨ（ＣＨ2ＣＨ2ＯＭｅ）ＣＨ2ＯＭｅ、Ｒ4aがＭｅ、Ｒ4bがＨ、Ｒ4cがＭｅ、Ｒ4dがＨでありＲ4eがＨである式（７０）の化合物、
ＲがＦ、Ｒ3が−Ｎ（ＣＨ2ＣＨ2ＯＭｅ）2、Ｒ4aがＭｅ、Ｒ4bがＨ、Ｒ4cがＣｌ、Ｒ4dがＨでありＲ4eがＨである式（７０）の化合物、
ＲがＦ、Ｒ3が−ＮＨ（Ｅｔ）、Ｒ4aがＭｅ、Ｒ4bがＨ、Ｒ4cがＭｅ、Ｒ4dがＨでありＲ4eがＨである式（７０）の化合物、
ＲがＦ、Ｒ3が−ＮＨＣＨ（ｎ−Ｐｒ）2、Ｒ4aがＭｅ、Ｒ4bがＨ、Ｒ4cがＣｌ、Ｒ4dがＨでありＲ4eがＨである式（７０）の化合物、
ＲがＦ、Ｒ3が−ＮＨＣＨ（ＣＨ2ＯＭｅ）2、Ｒ4aがＭｅ、Ｒ4bがＨ、Ｒ4cがＣｌ、Ｒ4dがＨでありＲ4eがＨである式（７０）の化合物、
ＲがＦ、Ｒ3が（Ｓ）−ＮＨ（ＣＨ2ＣＨ2ＯＭｅ）ＣＨ2ＯＭｅ、Ｒ4aがＭｅ、Ｒ4bがＨ、Ｒ4cがＣｌ、Ｒ4dがＨでありＲ4eがＨである式（７０）の化合物、
ＲがＦ、Ｒ3が−ＮＨ（ＣＨ2ＣＨ2ＯＭｅ）ＣＨ2ＯＭｅ、Ｒ4aがＭｅ、Ｒ4bがＨ、Ｒ4cがＣｌ、Ｒ4dがＨでありＲ4eがＨである式（７０）の化合物、
ＲがＦ、Ｒ3が−Ｎ（ｎ−Ｐｒ）（ＣＨ2ＣＨ2ＣＮ）、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−Ｎ（Ｅｔ）2、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が（Ｓ）−ＮＨ（ＣＨ2ＣＨ2ＯＭｅ）ＣＨ2ＯＭｅ、Ｒ4aがＣｌ、Ｒ4bがＨ、Ｒ4cがＭｅ、Ｒ4dがＨでありＲ4eがＨである式（７０）の化合物、
ＲがＦ、Ｒ3が−ＮＨ（ＣＨ2ＣＨ2ＯＭｅ）ＣＨ2ＯＭｅ、Ｒ4aがＣｌ、Ｒ4bがＨ、Ｒ4cがＭｅ、Ｒ4dがＨでありＲ4eがＨである式（７０）の化合物、
ＲがＦ、Ｒ3が−Ｎ（Ｅｔ）2、Ｒ4aがＣｌ、Ｒ4bがＨ、Ｒ4cがＭｅ、Ｒ4dがＨでありＲ4eがＨである式（７０）の化合物、
ＲがＦ、Ｒ3が−Ｎ（ｃＰｒ）（ＣＨ2ＣＨ2ＣＮ）、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−Ｎ（ｃＰｒ）（ＣＨ2ＣＨ2ＣＮ）、Ｒ4aがＣｌ、Ｒ4bがＨ、Ｒ4cがＭｅ、Ｒ4dがＨでありＲ4eがＨである式（７０）の化合物、
ＲがＦ、Ｒ3が−ＮＨＣＨ（ｎ−Ｐｒ）（ＣＨ2ＯＭｅ）、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−ＮＨＣＨ（ｎ−Ｐｒ）（ＣＨ2ＯＭｅ）、Ｒ4aがＣｌ、Ｒ4bがＨ、Ｒ4cがＭｅ、Ｒ4dがＨでありＲ4eがＨである式（７０）の化合物、
ＲがＦ、Ｒ3が−ＮＨＣＨ（Ｅｔ）2、Ｒ4aがＢｒ、Ｒ4bがＨ、Ｒ4cがＯＭｅ、Ｒ4dがＯＭｅでありＲ4eがＨである式（７０）の化合物、
ＲがＦ、Ｒ3が−ＮＨＣＨ（Ｅｔ）2、Ｒ4aがＢｒ、Ｒ4bがＨ、Ｒ4cがＯＭｅ、Ｒ4dがＨでありＲ4eがＨである式（７０）の化合物、
ＲがＦ、Ｒ3が−Ｎ（ＣＨ2ＣＨ2ＯＭｅ）2、Ｒ4aがＢｒ、Ｒ4bがＨ、Ｒ4cがＯＭｅ、Ｒ4dがＨでありＲ4eがＨである式（７０）の化合物、
ＲがＦ、Ｒ3が−ＮＨＣＨ（ＣＨ2ＯＭｅ）2、Ｒ4aがＢｒ、Ｒ4bがＨ、Ｒ4cがＯＭｅ、Ｒ4dがＨでありＲ4eがＨである式（７０）の化合物、
ＲがＦ、Ｒ3が−Ｎ（Ｅｔ）2、Ｒ4aがＭｅ、Ｒ4bがＨ、Ｒ4cがＣｌ、Ｒ4dがＨでありＲ4eがＨである式（７０）の化合物、
ＲがＦ、Ｒ3が−Ｎ（Ｅｔ）2、Ｒ4aがＣｌ、Ｒ4bがＨ、Ｒ4cがＯＭｅ、Ｒ4dがＯＭｅでありＲ4eがＨである式（７０）の化合物、
ＲがＦ、Ｒ3が−ＮＨＣＨ（Ｅｔ）2、Ｒ4aがＣｌ、Ｒ4bがＨ、Ｒ4cがＯＭｅ、Ｒ4dがＯＭｅでありＲ4eがＨである式（７０）の化合物、
ＲがＦ、Ｒ3が−Ｎ（ＣＨ2ＣＨ2ＯＭｅ）2、Ｒ4aがＣｌ、Ｒ4bがＨ、Ｒ4cがＣｌ、Ｒ4dがＨでありＲ4eがＨである式（７０）の化合物、
ＲがＦ、Ｒ3が−ＮＨＣＨ（ＣＨ2ＯＭｅ）2、Ｒ4aがＣｌ、Ｒ4bがＨ、Ｒ4cがＣｌ、Ｒ4dがＨでありＲ4eがＨである式（７０）の化合物、
ＲがＦ、Ｒ3が−Ｎ（Ｐｒ）（ＣＨ2ＣＨ2ＣＮ）、Ｒ4aがＣｌ、Ｒ4bがＨ、Ｒ4cがＣｌ、Ｒ4dがＨでありＲ4eがＨである式（７０）の化合物、
ＲがＦ、Ｒ3が−Ｎ（Ｂｕ）（Ｅｔ）、Ｒ4aがＣｌ、Ｒ4bがＨ、Ｒ4cがＣｌ、Ｒ4dがＨでありＲ4eがＨである式（７０）の化合物、
ＲがＦ、Ｒ3が−ＮＨＣＨ（Ｅｔ）ＣＨ2ＯＭｅ、Ｒ4aがＣｌ、Ｒ4bがＨ、Ｒ4cがＣｌ、Ｒ4dがＨでありＲ4eがＨである式（７０）の化合物、
ＲがＦ、Ｒ3が−ＮＨＣＨ（Ｅｔ）2、Ｒ4aがＣｌ、Ｒ4bがＨ、Ｒ4cがＣｌ、Ｒ4dがＨでありＲ4eがＨである式（７０）の化合物、
ＲがＦ、Ｒ3が−ＮＨＣＨ（Ｅｔ）2、Ｒ4aがＭｅ、Ｒ4bがＨ、Ｒ4cがＭｅ、Ｒ4dがＨでありＲ4eがＨである式（７０）の化合物、
ＲがＦ、Ｒ3が−ＮＨＣＨ（Ｅｔ）2、Ｒ4aがＣｌ、Ｒ4bがＨ、Ｒ4cがＭｅ、Ｒ4dがＨでありＲ4eがＨである式（７０）の化合物、
ＲがＦ、Ｒ3が−ＮＨＣＨ（Ｅｔ）2、Ｒ4aがＭｅ、Ｒ4bがＨ、Ｒ4cがＣｌ、Ｒ4dがＨでありＲ4eがＨである式（７０）の化合物、
ＲがＦ、Ｒ3が−ＮＥｔ2、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−Ｎ（Ｐｒ）（ＣＨ2ＣＨ2ＣＮ）、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−Ｎ（Ｐｒ）（ＣＨ2ＣＨ2ＯＭｅ）、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−Ｎ（Ｅｔ）（ＣＨ2ＣＨ2ＯＭｅ）、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−Ｎ（Ｍｅ）（ＣＨ2ＣＨ2ＯＭｅ）、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−ＮＭｅＥｔ、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−ＮＭｅＰｒ、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−ＮＭｅＢｕ、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−ＮＨ−２−ブチル、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3がシクロブチルアミノ、Ｒ4aがＭｅ、Ｒ4bがＨ、Ｒ4cがＯＭｅ、Ｒ4dがＨでありＲ4eがＨである式（７０）の化合物、
ＲがＣｌ、Ｒ3が−Ｎ（Ｐｒ）（ＣＨ2ＣＨ2ＯＭｅ）、Ｒ4aがＭｅ、Ｒ4bがＨ、Ｒ4cがＯＭｅ、Ｒ4dがＭｅでありＲ4eがＨである式（７０）の化合物、
ＲがＣｌ、Ｒ3が−Ｎ（Ｅｔ）（ＣＨ2ＣＨ2ＯＭｅ）、Ｒ4aがＭｅ、Ｒ4bがＨ、Ｒ4cがＯＭｅ、Ｒ4dがＭｅでありＲ4eがＨである式（７０）の化合物、
ＲがＣｌ、Ｒ3が−Ｎ（Ｍｅ）（ＣＨ2ＣＨ2ＯＭｅ）、Ｒ4aがＭｅ、Ｒ4bがＨ、Ｒ4cがＯＭｅ、Ｒ4dがＭｅでありＲ4eがＨである式（７０）の化合物、
ＲがＣｌ、Ｒ3が−ＮＭｅＥｔ、Ｒ4aがＭｅ、Ｒ4bがＨ、Ｒ4cがＯＭｅ、Ｒ4dがＭｅでありＲ4eがＨである式（７０）の化合物、
ＲがＣｌ、Ｒ3が−ＮＭｅＰｒ、Ｒ4aがＭｅ、Ｒ4bがＨ、Ｒ4cがＯＭｅ、Ｒ4dがＭｅでありＲ4eがＨである式（７０）の化合物、
ＲがＣｌ、Ｒ3が−ＮＭｅＢｕ、Ｒ4aがＭｅ、Ｒ4bがＨ、Ｒ4cがＯＭｅ、Ｒ4dがＭｅでありＲ4eがＨである式（７０）の化合物、
ＲがＣｌ、Ｒ3が−ＮＨ−２−ブチル、Ｒ4aがＭｅ、Ｒ4bがＨ、Ｒ4cがＯＭｅ、Ｒ4dがＭｅでありＲ4eがＨである式（７０）の化合物、
ＲがＣｌ、Ｒ3がシクロブチルアミノ、Ｒ4aがＭｅ、Ｒ4bがＨ、Ｒ4cがＯＭｅ、Ｒ4dがＭｅでありＲ4eがＨである式（７０）の化合物、
ＲがＦ、Ｒ3が−Ｎ（Ｐｒ）（ＣＨ2ＣＨ2ＯＭｅ）、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−Ｎ（Ｅｔ）（ＣＨ2ＣＨ2ＯＭｅ）、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−Ｎ（Ｍｅ）（ＣＨ2ＣＨ2ＯＭｅ）、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−ＮＭｅＥｔ、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−ＮＭｅＰｒ、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−ＮＭｅＢｕ、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−ＮＨ−２−ブチル、Ｒ4aがＭｅ、Ｒ4bがＨ、Ｒ4cがＯＭｅ、Ｒ4dがＨでありＲ4eがＨである式（７０）の化合物、
ＲがＦ、Ｒ3がシクロブチルアミノ、Ｒ4aがＭｅ、Ｒ4bがＨ、Ｒ4cがＯＭｅ、Ｒ4dがＨでありＲ4eがＨである式（７０）の化合物、
ＲがＦ、Ｒ3が−Ｎ（Ｐｒ）（ＣＨ2ＣＨ2ＯＭｅ）、Ｒ4aがＭｅ、Ｒ4bがＨ、Ｒ4cがＯＭｅ、Ｒ4dがＭｅでありＲ4eがＨである式（７０）の化合物、
ＲがＦ、Ｒ3が−Ｎ（Ｅｔ）（ＣＨ2ＣＨ2ＯＭｅ）、Ｒ4aがＭｅ、Ｒ4bがＨ、Ｒ4cがＯＭｅ、Ｒ4dがＭｅでありＲ4eがＨである式（７０）の化合物、
ＲがＦ、Ｒ3が−Ｎ（Ｍｅ）（ＣＨ2ＣＨ2ＯＭｅ）、Ｒ4aがＭｅ、Ｒ4bがＨ、Ｒ4cがＯＭｅ、Ｒ4dがＭｅでありＲ4eがＨである式（７０）の化合物、
ＲがＦ、Ｒ3が−ＮＭｅＥｔ、Ｒ4aがＭｅ、Ｒ4bがＨ、Ｒ4cがＯＭｅ、Ｒ4dがＭｅでありＲ4eがＨである式（７０）の化合物、
ＲがＦ、Ｒ3が−ＮＭｅＰｒ、Ｒ4aがＭｅ、Ｒ4bがＨ、Ｒ4cがＯＭｅ、Ｒ4dがＭｅでありＲ4eがＨである式（７０）の化合物、
ＲがＦ、Ｒ3が−ＮＭｅＢｕ、Ｒ4aがＭｅ、Ｒ4bがＨ、Ｒ4cがＯＭｅ、Ｒ4dがＭｅでありＲ4eがＨである式（７０）の化合物、
ＲがＦ、Ｒ3が−ＮＨ−２−ブチル、Ｒ4aがＭｅ、Ｒ4bがＨ、Ｒ4cがＯＭｅ、Ｒ4dがＭｅでありＲ4eがＨである式（７０）の化合物、
ＲがＦ、Ｒ3がシクロブチルアミノ、Ｒ4aがＭｅ、Ｒ4bがＨ、Ｒ4cがＯＭｅ、Ｒ4dがＭｅでありＲ4eがＨである式（７０）の化合物、
ＲがＭｅ、Ｒ3が−Ｎ（Ｐｒ）（ＣＨ2ＣＨ2ＯＭｅ）、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−Ｎ（Ｅｔ）（ＣＨ2ＣＨ2ＯＭｅ）、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−Ｎ（Ｍｅ）（ＣＨ2ＣＨ2ＯＭｅ）、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−ＮＭｅＥｔ、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−ＮＭｅＰｒ、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−ＮＭｅＢｕ、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−ＮＨ−２−ブチル、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3がシクロブチルアミノ、Ｒ4aがＭｅ、Ｒ4bがＨ、Ｒ4cがＯＭｅ、Ｒ4dがＨでありＲ4eがＨである式（７０）の化合物、
ＲがＭｅ、Ｒ3が−Ｎ（Ｐｒ）（ＣＨ2ＣＨ2ＯＭｅ）、Ｒ4aがＭｅ、Ｒ4bがＨ、Ｒ4cがＯＭｅ、Ｒ4dがＭｅでありＲ4eがＨである式（７０）の化合物、
ＲがＭｅ、Ｒ3が−Ｎ（Ｅｔ）（ＣＨ2ＣＨ2ＯＭｅ）、Ｒ4aがＭｅ、Ｒ4bがＨ、Ｒ4cがＯＭｅ、Ｒ4dがＭｅでありＲ4eがＨである式（７０）の化合物、
ＲがＭｅ、Ｒ3が−Ｎ（Ｍｅ）（ＣＨ2ＣＨ2ＯＭｅ）、Ｒ4aがＭｅ、Ｒ4bがＨ、Ｒ4cがＯＭｅ、Ｒ4dがＭｅでありＲ4eがＨである式（７０）の化合物、
ＲがＭｅ、Ｒ3が−ＮＭｅＥｔ、Ｒ4aがＭｅ、Ｒ4bがＨ、Ｒ4cがＯＭｅ、Ｒ4dがＭｅでありＲ4eがＨである式（７０）の化合物、
ＲがＭｅ、Ｒ3が−ＮＭｅＰｒ、Ｒ4aがＭｅ、Ｒ4bがＨ、Ｒ4cがＯＭｅ、Ｒ4dがＭｅでありＲ4eがＨである式（７０）の化合物、
ＲがＭｅ、Ｒ3が−ＮＭｅＢｕ、Ｒ4aがＭｅ、Ｒ4bがＨ、Ｒ4cがＯＭｅ、Ｒ4dがＭｅでありＲ4eがＨである式（７０）の化合物、
ＲがＭｅ、Ｒ3が−ＮＨ−２−ブチル、Ｒ4aがＭｅ、Ｒ4bがＨ、Ｒ4cがＯＭｅ、Ｒ4dがＭｅでありＲ4eがＨである式（７０）の化合物、
ＲがＭｅ、Ｒ3がシクロブチルアミノ、Ｒ4aがＭｅ、Ｒ4bがＨ、Ｒ4cがＯＭｅ、Ｒ4dがＭｅでありＲ4eがＨである式（７０）の化合物
からなる群から選択されることを特徴とする化合物およびその幾何異性体、その立体異性体、またはその立体異性体の混合物、およびその薬剤学的に許容可能な塩。
【請求項５】  ７−（ジエチルアミノ）−２，５−ジメチル−３−（２−メチル−４−メトキシフェニル−［１，５−ａ］−ピラゾロピリミジンおよび７−（Ｎ−（３−シアノプロピル）−Ｎ−プロピルアミノ）−２，５−ジメチル−３−（２，４−ジメチルフェニル）−［１，５−ａ］−ピラゾロピリミジンから選択されることを特徴とする化合物およびその異性体、その立体異性体、またはその立体異性体の混合物、およびその薬剤学的に許容可能な塩。
【請求項６】  薬剤学的に許容可能な担体および治療上有効な量の請求項１、２、３、４および５に記載の化合物を含むことを特徴とする医薬組成物。
【請求項７】  情動障害、不安、うつ病、頭痛、過敏性腸管症候群、外傷後ストレス障害、核上麻痺、免疫抑制、アルツハイマー病、胃腸管障害、神経性食欲不振または他の摂食障害、薬物嗜癖、薬剤またはアルコール禁断症状、炎症性疾患、心血管疾患または心疾患、受胎能問題、ヒト免疫不全ウイルス（ＨＩＶ）感染症、出血性ストレス、肥満症、不妊症、頭部および脊髄外傷、てんかん、卒中、潰瘍、筋萎縮性側索硬化症、低血糖症、または、その障害の治療がＣＲＦとの拮抗によって達成されるかもしくは容易になる、ＣＲＦにより誘発または促進される障害を含むがそれに限定されない障害などの哺乳類における治療のための医薬を製造するための請求項１、２、３、４および５に記載の化合物の使用。